(57)【要約】【課題】非接触型ＩＣチップと容易に通信でき、非接触型ＩＣチップの内容を容易に把握できるようにする。【解決手段】外形の１つの面に平板状に設けられた、ループ状またはスパイラル状の第１のアンテナ部１１と、１つの面に対する側面に平板状に設けられて、ループ状またはスパイラル状の形状を有し、その短軸方向の大きさが第１のアンテナ部１１の短軸方向の大きさより小さく形成された第２のアンテナ部１３と、第１のアンテナ部１１または第２のアンテナ部１３のいずれか一方を選択的に用いて非接触型ＩＣチップ３２と通信し、非接触型ＩＣチップ３２に記録された情報を取得する主回路１０と、を有し、主回路１０は、第２のアンテナ部１３を通じて非接触型ＩＣチップ３２から情報を取得する場合には、非接触型ＩＣチップ３２に記録された情報について検索を行うための検索条件に、取得した情報が該当するか否かを判定する。【選択図】図２
2009080761.tif 000002
【特許請求の範囲】
【請求項１】
非接触型ＩＣチップに記録された情報を読み取る携帯型の情報読み取り装置において、
外形の１つの面に平板状に設けられた、ループ状またはスパイラル状の第１のアンテナと、
前記１つの面に対する側面に平板状に設けられて、ループ状またはスパイラル状の形状を有し、その短軸方向の大きさが前記第１のアンテナの短軸方向の大きさより小さく形成された第２のアンテナと、
前記第１のアンテナまたは前記第２のアンテナのいずれか一方を選択的に用いて前記非接触型ＩＣチップと通信し、当該非接触型ＩＣチップに記録された情報を取得する制御部と、
を有し、
前記制御部は、前記第２のアンテナを通じて前記非接触型ＩＣチップから情報を取得する場合には、前記第２のアンテナを通じて取得した情報が、前記非接触型ＩＣチップに記録された情報について検索を行うための検索条件に該当するか否かを判定することを特徴とする情報読み取り装置。
【請求項２】
第１の入力部と、
第２の入力部と、
を有し、
前記制御部は、ユーザによる前記第１の入力部の操作を受け付けると、前記第１のアンテナを通じて前記非接触型ＩＣチップに記録された情報を取得する一方、ユーザによる前記第２の入力部の操作を受け付けると、前記第２のアンテナを通じて前記非接触型ＩＣチップから情報を取得するとともに、前記第２のアンテナを通じて取得した情報が、前記検索条件に該当するか否かを判定することを特徴とする請求項１記載の情報読み取り装置。
【請求項３】
前記第１の入力部は、前記第１のアンテナの近傍に設けられており、
前記第２の入力部は、前記第２のアンテナの近傍に設けられていることを特徴とする請求項２記載の情報読み取り装置。
【請求項４】
前記第１のアンテナの形成面の法線と前記第２のアンテナのループ面の法線とが直交することを特徴とする請求項１記載の情報読み取り装置。
【請求項５】
前記第１のアンテナの形成面の法線は、ユーザが当該情報読み取り装置を把持したときに上下方向を向き、
前記第２のアンテナの形成面の法線は、前記ユーザが当該情報読み取り装置を把持したときに、前記ユーザから見て前方を向いていることを特徴とする請求項４記載の情報読み取り装置。
【請求項６】
前記第１のアンテナは、光ディスクの光ディスク基板上にその円周方向に沿って形成されたアンテナコイルと電磁結合して、当該光ディスクに設けられた非接触型ＩＣチップと通信できるように構成され、
前記第２のアンテナは、前記光ディスクを収容する光ディスクケースに設けられたブースタアンテナの２つのアンテナコイルのうち、当該光ディスクケース内の前記光ディスクの記録面と垂直な側面に当接または近接して設けられた側面側アンテナコイルと電磁結合できるように構成され、
前記ブースタアンテナは、前記側面側アンテナコイルと、前記光ディスクケース内の前記光ディスクに設けられたアンテナコイルと電磁結合するディスク側アンテナコイルとが接続されて、それぞれが送受信する信号を中継するように構成され、
前記光ディスクケース上の前記側面側アンテナコイルに前記第２のアンテナが近接して配置されたとき、前記制御部は、当該光ディスクケース内の前記光ディスク上に設けられた前記非接触型ＩＣチップから、前記ブースタアンテナを通じて情報を取得可能であることを特徴とする請求項１記載の情報読み取り装置。
【請求項７】
前記検索条件の入力を受け付ける検索条件入力部を有し、
前記制御部は、前記第２のアンテナを通じて前記非接触型ＩＣチップから情報を取得する場合には、前記第２のアンテナを通じて取得した情報が、前記検索条件入力部によって受け付けられた前記検索条件に該当するか否かを判定することを特徴とする請求項１記載の情報読み取り装置。
【請求項８】
ユーザに当該情報読み取り装置の状態を通知する通知部を有し、
前記制御部は、前記第２のアンテナを通じて前記非接触型ＩＣチップから情報を取得する場合には、前記第２のアンテナを通じて取得した情報が、前記検索条件に該当するか否かを判定し、前記第２のアンテナを通じて取得した情報が前記検索条件に該当すると判定した場合には、前記通知部に前記検索条件に該当する情報が前記非接触型ＩＣチップに記録されている旨を通知させることを特徴とする請求項１記載の情報読み取り装置。
【請求項９】
前記通知部は音声メッセージを出力可能であり、
前記制御部は、前記第２のアンテナを通じて取得した情報が前記検索条件に該当すると判定した場合には、前記通知部に前記検索条件に該当する情報が前記非接触型ＩＣチップに記録されている旨を通知させる音声メッセージを出力することを特徴とする請求項８記載の情報読み取り装置。
【請求項１０】
当該情報読み取り装置の移動速度を検出する速度検出部と、
ユーザに当該情報読み取り装置の状態を通知する通知部と、
を有し、
前記制御部は、前記第２のアンテナによる読み取り動作中に、前記速度検出部によって検出された移動速度が、所定の速度より速いか否かを判定し、当該移動速度が所定の速度より速い場合には、前記通知部によってユーザに対して異常を通知させることを特徴とする請求項１記載の情報読み取り装置。
【請求項１１】
前記速度検出部は、前記第２のアンテナの形成面に平行な方向における当該情報読み取り装置の移動速度を検出することを特徴とする請求項１０記載の情報読み取り装置。
【請求項１２】
前記速度検出部は、前記第２のアンテナの短軸方向における当該情報読み取り装置の移動速度を検出することを特徴とする請求項１０記載の情報読み取り装置。
【請求項１３】
ユーザに当該情報読み取り装置の状態を通知する通知部を有し、
前記通知部は、情報を表示する表示画面を有し、
前記制御部は、前記通知部が有する前記表示画面に前記第１のアンテナにより取得した前記非接触型ＩＣチップに記録された情報、または当該情報に対応付けられた他の情報のうち、少なくともいずれか一方を表示させることを特徴とする請求項１記載の情報読み取り装置。
【請求項１４】
ユーザに当該情報読み取り装置の状態を通知する通知部を有し、
前記通知部は、発光する発光部を有し、
前記制御部は、前記第１のアンテナおよび前記第２のアンテナのうち少なくともいずれか一方によって前記非接触型ＩＣチップと通信すると、前記通知部が有する前記発光部を発光させることを特徴とする請求項１記載の情報読み取り装置。
【請求項１５】
ユーザに当該情報読み取り装置の状態を通知する通知部を有し、
前記通知部は、前記第２のアンテナの前方に向けて発光する発光部を有し、
前記制御部は、前記第２のアンテナによって取得した情報が前記検索条件に該当する場合には、前記通知部が有する前記発光部を発光させることを特徴とする請求項１記載の情報読み取り装置。
【請求項１６】
前記発光部は紫外線を発光することを特徴とする請求項１５記載の情報読み取り装置。
【請求項１７】
他の情報機器と通信可能な外部通信部を有し、
前記制御部は、前記外部通信部によって前記検索条件を前記他の情報機器から受信可能であることを特徴とする請求項１記載の情報読み取り装置。
【請求項１８】
他の情報機器と通信可能な外部通信部を有し、
前記制御部は、前記外部通信部によって前記検索条件に基づく前記非接触型ＩＣチップの検索結果を前記他の情報機器に送信可能であることを特徴とする請求項１記載の情報読み取り装置。
【請求項１９】
非接触型ＩＣチップに記録された情報を携帯型の情報読み取り装置によって読み取る情報読み取り方法において、
前記情報読み取り装置に備えられた制御部が、
ループ状またはスパイラル状の第１のアンテナ、およびループ状またはスパイラル状の形状を有し、その短軸方向の大きさが前記第１のアンテナの短軸方向の大きさより小さく形成された第２のアンテナのいずれか一方を選択し、選択したアンテナを通じて前記非接触型ＩＣチップと通信し、当該非接触型ＩＣチップに記録された情報を取得し、
前記第２のアンテナを通じて前記非接触型ＩＣチップから情報を取得する場合には、前記非接触型ＩＣチップに記録された情報について検索を行うための検索条件に該当するか否かを判定することを特徴とする情報読み取り方法。
【発明の詳細な説明】
【技術分野】
【０００１】
本発明は、非接触型ＩＣチップに記録された情報を読み取る情報読み取り装置、および情報読み取り方法に関し、特に、非接触型ＩＣチップに記録された情報を読み取る、携帯型の情報読み取り装置、および情報読み取り方法に関する。
【背景技術】
【０００２】
近年、映像などの大容量データを記録可能な記録媒体として、ＣＤ（Compact Disc）、ＤＶＤ（Digital Versatile Disk）などの光ディスクが広く普及している。また、光ディスクとしては、ＲＯＭ（Read Only Memory）型と呼ばれる再生専用ディスクだけでなく、“Recordable”と呼ばれる追記型ディスクや“ReWritable”と呼ばれる書き換え型ディスクも一般的となっている。
【０００３】
この光ディスクは、非常に大量のデータを安価に記録可能であることから、プログラムやデータの記録や頒布の他、音楽ソフトおよび映像ソフトの頒布や、放送内容の録音や録画などの音声データおよび映像データの記録に広く用いられている。
【０００４】
一方、端末側のリーダ／ライタとの間において、非接触で情報の受け渡しが可能な非接触型ＩＣ（Integrated Circuit）チップは、端末装置との通信時に物理的接触が不要という要因などによって接続開始から接続終了までの処理時間を短くでき、また、高度な相互認証および暗号処理による高いセキュリティを持つといった特徴を有している。このため、電子マネーや交通乗車券、入館証などの用途で普及が進んでいる。
【０００５】
そして、このような優れた特徴を持つ非接触型ＩＣチップを、光ディスクの基板上に搭載することが従来から考えられている。例えば、２枚のディスク基板のそれぞれに凹部を形成したうえで、ディスク基板を貼り合わせたときにそれぞれの凹部の間に形成される間隙に、ＩＣチップやその送受信用のアンテナを一体のモジュールとして配置した光ディスクが考えられている（例えば、特許文献１参照）。これにより、光ディスクプレーヤにセットして光ディスクにアクセスすることなく、光ディスクの記録内容を確認することができる。
【０００６】
また、多数配置された物品に付されたタグに記録された情報を読み取って、物品を管理する技術が知られている。例えば、物品に添設された情報タグに記録されている物品の情報を読み取って物品の配置を検査する情報検査装置が考えられている（例えば、特許文献２参照）。
【０００７】
ところで、非接触型ＩＣチップとリーダ／ライタとの間では、それぞれが備えているアンテナによって電磁波を用いて通信を行っている。しかし、それぞれのアンテナの形状によっては、電磁波の特性上、送受信の際に指向性が生じる場合があるため、各アンテナが発生する電磁波の強度や互いのアンテナの位置関係によっては、通信できない事態が生じる。
【０００８】
特に、通信周波数１３．５６ＭＨｚの場合に代表される電磁誘導方式の非接触型ＩＣカードやＲＦＩＤ（Radio Frequency Identification）では、非接触型ＩＣチップのアンテナコイルとリーダ／ライタ側のアンテナコイルとが対向しているときに、通信状態が良好になるようにされており、各アンテナコイルの方向が直交しているとき（すなわち、アンテナコイルのアンテナ面の法線が直交しているとき）には通信できない場合がある。
【０００９】
これに対して、アンテナ同士の位置関係の問題から良好な通信ができない場合に、ブースタアンテナと呼ばれる中継用のアンテナを用いて、通信状態を改善する技術が知られている。例えば、記録媒体の収納ケースにブースタアンテナを設けることで、記録媒体に搭載された非接触型ＩＣチップと、収納棚に設けられたリーダ／ライタとの間で通信できるようにした情報記憶媒体管理システムが考えられている（例えば、特許文献３参照）。
【特許文献１】特開平９−２４５３８１号公報
【特許文献２】特開２００１−２４７２０９号公報
【特許文献３】特開２００５−３３９１７０号公報
【発明の開示】
【発明が解決しようとする課題】
【００１０】
ところで、光ディスクは通常、専用の収納ケースに入れられて保管されることが多く、収納ケースに入れられた光ディスクが多数、収納棚に載置されることも多い。従って、上述したような非接触型ＩＣチップが搭載された光ディスクについても、同様に収納ケースに入れられた状態で収納棚に載置される事態が当然考えられる。
【００１１】
これに対して、上記の特許文献２では、収納ケースに入れられて複数が横に並べられた光ディスクや、収納ケースごと収納棚に入れられた複数の光ディスクは、互いに記録面が近接して対向した状態となるので、記録面に平行にリーダ／ライタのアンテナ面を近づけることはできず、非接触型ＩＣチップと通信することは非常に困難である。
【００１２】
例えば、収納ケースにおいて光ディスクの記録面と平行をなす面（以下、ケース主面と呼ぶ）が互いに近接して並べられた場合において、通信を良好に行うためにリーダ／ライタのアンテナ面と光ディスク上のアンテナとを対向状態に近づけるためには、隣接する収納ケース同士の間隔を空けたり、個々の収納ケースを引き出したりといった動作を行わなければならない。このため、収納ケース内の複数の光ディスクの非接触型ＩＣチップに対して順次連続して通信しようとすると、上記のような煩雑な動作が必要となり、時間がかかってしまう。
【００１３】
ここで、上記の特許文献３では、光ディスクが収納ケースに入れられて収納棚に載置された状態で、光ディスクの非接触型ＩＣチップと通信するための方法として、非接触型ＩＣチップのための読取コイル、またはその読取コイルが複数配置されたアンテナボードを、仕切り板や棚板と一体となるように配置した収納棚を用い、その所定の位置に収納ケースを載置したときにケース内の非接触型ＩＣチップと通信可能になるよう、収納ケースにブースタを設けている。しかし、この構成では読取装置に対応する専用の収納棚が必要であるので、すでにユーザが使用している収納棚では対応できず、また、持ち運び可能な汎用の読取装置を使用することもできない。
【００１４】
このように、光ディスクが収納ケースに入れられて収納棚に載置された状態でも、ケース主面に対して垂直なケース側面からリーダ／ライタをかざすことで、光ディスク上の非接触型ＩＣチップとの間で容易に通信できるようにすることが望まれている。特に、光ディスクの収納ケースとしては、ジュエルケース、トールケースなどに代表される、いくつかの特定の構造を持つものが広く普及しており、これらの収納ケースの構造を大きく変えることなく、例えば、非接触型ＩＣチップが設けられた光ディスクについて、収納ケースに収納された光ディスクが並べられた状態、および収納ケースに収納されていない光ディスク単体の状態のいずれの状態でも、非接触型ＩＣチップと容易に通信できることが要望されている。
【００１５】
本発明はこのような課題に鑑みてなされたものであり、光ディスクの非接触型ＩＣチップと容易に通信でき、光ディスクの記録内容などの非接触型ＩＣチップの内容を容易に把握できる情報読み取り装置、および情報読み取り方法を提供することを目的とする。
【課題を解決するための手段】
【００１６】
本発明では上記課題を解決するために、非接触型ＩＣチップに記録された情報を読み取る携帯型の情報読み取り装置において、外形の１つの面に平板状に設けられた、ループ状またはスパイラル状の第１のアンテナと、前記１つの面に対する側面に平板状に設けられて、ループ状またはスパイラル状の形状を有し、その短軸方向の大きさが前記第１のアンテナの短軸方向の大きさより小さく形成された第２のアンテナと、前記第１のアンテナまたは前記第２のアンテナのいずれか一方を選択的に用いて前記非接触型ＩＣチップと通信し、当該非接触型ＩＣチップに記録された情報を取得する制御部と、を有し、前記制御部は、前記第２のアンテナを通じて前記非接触型ＩＣチップから情報を取得する場合には、前記第２のアンテナを通じて取得した情報が、前記非接触型ＩＣチップに記録された情報について検索を行うための検索条件に該当するか否かを判定することを特徴とする情報読み取り装置が提供される。
【００１７】
このような情報読み取り装置では、第１のアンテナは、外形の１つの面に平板状に設けられ、ループ状またはスパイラル状である。また、第２のアンテナは、前述した１つの面に対する側面に平板状に設けられて、ループ状またはスパイラル状の形状を有し、その短軸方向の大きさが第１のアンテナの短軸方向の大きさより小さく形成される。そして、制御部は、第１のアンテナまたは第２のアンテナのいずれか一方を選択的に用いて非接触型ＩＣチップと通信し、当該非接触型ＩＣチップに記録された情報を取得する。また、制御部は、第２のアンテナを通じて非接触型ＩＣチップから情報を取得する場合には、第２のアンテナを通じて取得した情報が、非接触型ＩＣチップに記録された情報について検索を行うための検索条件に該当するか否かを判定する。
【発明の効果】
【００１８】
本発明の情報読み取り装置によれば、例えば、非接触型のＩＣチップと光ディスクの回転中心を中心として形成された非接触通信用のアンテナとが設けられた光ディスクを内部に収容する光ディスクケースであって、光ディスクの非接触型ＩＣチップとの通信を補助するブースタアンテナを側面に備える光ディスクケースに対し、その光ディスクケースを閉じた状態で、情報読み取り装置の第２のアンテナを、ブースタアンテナが設けられているケース側面に近接させることで、ＩＣリーダと光ディスク上のＩＣチップとの間で確実に通信できるようになる。さらに、第２のアンテナで非接触型ＩＣチップから情報を取得する場合には、非接触型ＩＣチップに、検索条件に該当する情報の検索が可能になる。
【００１９】
以上により、非接触型ＩＣチップが設けられた光ディスクについて、収納ケースに収納された光ディスクが並べられた状態、および収納ケースに収納されていない光ディスク単体の状態のいずれの状態でも、光ディスクの非接触型ＩＣチップと容易に通信でき、光ディスクの記録内容などの非接触型ＩＣチップの内容を容易に把握することが可能になる。
【発明を実施するための最良の形態】
【００２０】
以下、本発明の実施の形態を図面を参照して詳細に説明する。
［第１の実施の形態］
まず、第１の実施の形態で用いられるＩＣリーダの基本的な構造と、このＩＣリーダと非接触型ＩＣチップとの間の通信方法について説明する。
【００２１】
図１は、ＩＣリーダの構成例を示す斜視図である。
図１に示すＩＣリーダ１は、光ディスクの再生・記録機器のためのリモートコントローラに非接触型ＩＣのリーダ機能を設け、その上面および先端部にアンテナコイルを配置して構成したものである。このＩＣリーダ１は、主に、ユーザが片手で持った状態で使用され、光ディスクに設けられた非接触型ＩＣチップに記憶されている情報を読み取るために、以下のような基本的構造を有している。すなわち、このＩＣリーダ１は、非接触型ＩＣチップに記録された情報を読み取るために、第１のアンテナ部１１および第２のアンテナ部１３を備えている。また、ＩＣリーダ１は、外部通信部１７、入力ボタン１５１、表示ボタン１５２、検索ボタン１５３、表示ディスプレイ１６１、アンテナ発光部１６２、投光部１６３、および図３において後述する音声出力部１６４を備えている。
【００２２】
第１のアンテナ部１１は、ＩＣリーダ１の上面に平板状に設けられたループ状またはスパイラル状の第１のアンテナコイル１１１を備えている。この第１のアンテナコイル１１１のループ面の法線は、ユーザがＩＣリーダ１を通常把持した状態で上下方向を向いている。この第１のアンテナコイル１１１によって、非接触型ＩＣチップを有する光ディスクを上方から近接させた状態で、光ディスクの非接触型ＩＣチップと通信することにより、例えば、光ディスクの記録内容などが、非接触型ＩＣチップに記録された情報を表示するために取得可能である。
【００２３】
第２のアンテナ部１３は、ＩＣリーダ１の側面のうちユーザが通常手に持ったときの前方となる前面に、平板状に設けられたループ状またはスパイラル状の第２のアンテナコイル１３１を備えている。第２のアンテナコイル１３１は、そのアンテナ面の法線方向が、第１のアンテナコイル１１１のアンテナ面の法線方向と直交するように設けられている。この第２のアンテナコイル１３１を、光ディスクを収容した光ディスクケースのブースタアンテナに向けて近接させた状態で、光ディスクケースのブースタアンテナを介して光ディスクの非接触型ＩＣチップと通信することによって、例えば、光ディスクの記録内容が、非接触型ＩＣチップに記録された情報の検索を行うために取得可能である。
【００２４】
ここで、第２のアンテナコイル１３１は、その短軸方向の大きさが、第１のアンテナコイル１１１の短軸方向の大きさより小さくなるように形成されている。従って、第２のアンテナコイル１３１が通信対象とする外部のアンテナコイルは、第１のアンテナコイル１１１の通信対象となる外部のアンテナコイルよりも小さいものとなる。具体的には、後述するように、第１のアンテナコイル１１１の大きさや形状は、光ディスク上に搭載された非接触型ＩＣチップのアンテナコイルと電磁結合可能なように最適化され、第２のアンテナコイル１３１の大きさや形状は、その光ディスクが収容された光ディスクケースの側面に沿って設けられたアンテナコイルと電磁結合可能なように最適化されている。
【００２５】
外部通信部１７は、ＩｒＤＡ（登録商標）などの赤外線通信、またはＢｌｕｅｔｏｏｔｈ（登録商標）などの無線通信などにより、携帯電話や情報通信端末などの外部の電子機器と通信が可能である。
【００２６】
入力ボタン１５１は、ユーザによる検索条件などの情報の入力を受け付けるためのボタンである。表示ボタン１５２は、第１のアンテナ部１１を動作させることによって非接触型ＩＣチップに記録された情報を取得するためのボタンである。表示ボタン１５２は、第１のアンテナ部１１の近傍に設けられている。検索ボタン１５３は、第２のアンテナ部１３を動作させることによって非接触型ＩＣチップに記録された情報を検索するためのボタンである。検索ボタン１５３は、第２のアンテナ部１３の近傍に設けられている。
【００２７】
表示ディスプレイ１６１は、第１のアンテナ部１１を通じて取得された非接触型ＩＣチップに記録された情報や、第２のアンテナ部１３を通じて検索された結果などを表示する。表示ディスプレイ１６１には、液晶モニタを使用するが、例えば有機ＥＬ（Electroluminescence）ディスプレイなどの他の薄型表示デバイスを用いてもよい。アンテナ発光部１６２は、第１のアンテナ部１１または第２のアンテナ部１３によって非接触型ＩＣチップと通信するときに発光する。投光部１６３は、第２のアンテナ部１３によって取得した情報が検索条件に該当する場合には、第２のアンテナ部１３のさらに前方に向けて発光する。音声出力部１６４は、非接触型ＩＣチップに記録された情報の検索結果などの、ＩＣリーダ１の状態を示す音声メッセージを出力する。
【００２８】
図２は、ＩＣリーダと光ディスクに搭載された非接触型ＩＣチップとの通信に必要な回路の構成を概略的に示す図である。
本実施の形態のＩＣリーダ１は、主回路１０、第１のアンテナ部１１、第２のアンテナ部１３、操作部１５、通知部１６、および外部通信部１７を備えている。このＩＣリーダ１は、第１のアンテナ部１１を通じて直接的に、光ディスク３上の非接触型ＩＣチップ３２と通信可能であるとともに、ブースタアンテナ２０を介することによって第２のアンテナ部１３を通じて、光ディスクケース２に収容された状態の光ディスク３上の非接触型ＩＣチップと通信可能である。なお、ブースタアンテナ２０は、光ディスクケース２の内部に設けられて、この内部に収容された光ディスク３上の非接触型ＩＣチップ３２と、ＩＣリーダ１の第２のアンテナコイル１３１などの外部のアンテナとの間で、送受信信号を中継するものである。
【００２９】
ＩＣリーダ１の主回路１０は、例えば、ＩＣリーダ１の動作を制御する制御回路、光ディスク３に設けられる非接触型ＩＣチップ３２との間で送受信する信号や電源供給用電磁波の変復調回路などから構成される。この主回路１０は、光ディスク３の非接触型ＩＣチップ３２に記録されている情報を取得するための第１のアンテナ部１１および第２のアンテナ部１３と接続される。主回路１０は、第１のアンテナ部１１または第２のアンテナ部１３のいずれか一方を選択的に用いて光ディスク３に搭載されている非接触型ＩＣチップ３２と通信し、非接触型ＩＣチップ３２に記録された情報を取得する。
【００３０】
第１のアンテナ部１１は、光ディスクケース２に収容されていない状態の光ディスク３の非接触型ＩＣチップ３２と電磁波を送受信するためのスパイラル状の第１のアンテナコイル１１１、および同調回路１１２を有している。第２のアンテナ部１３は、主に複数が並べられた光ディスクケースに収容されている状態の光ディスク３の非接触型ＩＣチップ３２と電磁波を送受信するためのスパイラル状の第２のアンテナコイル１３１、および同調回路１３２を有している。主回路１０は、同調回路１１２を介して第１のアンテナコイル１１１と接続されるとともに、同調回路１３２を介して第２のアンテナコイル１３１と接続される。
【００３１】
同調回路１１２，１３２は、例えばコイル、コンデンサ、抵抗などの回路部品からなる。同調回路１１２内の回路部品のパラメータは、第１のアンテナコイル１１１と同調回路１１２とを含む回路が通信周波数に対するインピーダンス整合を調整するように選択される。同様に、同調回路１３２内の回路部品のパラメータは、第２のアンテナコイル１３１と同調回路１３２とを含む回路が通信周波数に対するインピーダンス整合を調整するように選択される。
【００３２】
操作部１５は、ユーザによって行われたＩＣリーダ１への操作入力を受け付ける。通知部１６は、ユーザにＩＣリーダ１の状態を通知する。外部通信部１７は、ＩＣリーダ１と外部の情報機器との通信を行う。これらの操作部１５、通知部１６、および外部通信部１７については、詳しくは図３において後述する。
【００３３】
光ディスク３に設けられる非接触型ＩＣチップ３２は、ＩＣリーダ１との間で送受信する信号の変復調回路や制御回路、不揮発性記憶媒体などから構成される。ここでは一例として、非接触型ＩＣチップ３２はＩＣリーダ１との間で電磁波を使用して通信するとともに、この非接触型ＩＣチップ３２はバッテリを持たず、ＩＣリーダ１側から供給される電磁波から電磁誘導によって動作電力を得るものとする。また、ＩＣリーダ１側と電磁波を送受信するためのスパイラル状のアンテナコイル３１は、同調回路３３を介して非接触型ＩＣチップ３２と接続される。同調回路３３の機能は、ＩＣリーダ１の同調回路１１２，１３２と同様に通信周波数に対するインピーダンス整合を調整するものである。
【００３４】
ブースタアンテナ２０は、上述したように、非接触型ＩＣチップ３２側およびＩＣリーダ１側にそれぞれ対応するスパイラル状のアンテナコイル２１および２２と、それらを接続する同調回路２３とから構成される。同調回路２３の機能は、同調回路１１２，１３２、および３３と同様に通信周波数に対するインピーダンス整合を調整するものである。
【００３５】
なお、各アンテナコイル２１および２２のインピーダンスが通信周波数と整合している場合には特に同調回路２３は不要であり、この場合にはアンテナコイル２１および２２を直接接続することができる。また、ＩＣリーダ１の同調回路１１２，１３２、および非接触型ＩＣチップ３２の同調回路３３も、同様に必要に応じて設けられればよい。
【００３６】
なお、アンテナコイル２１，２２，３１、ならびに第１のアンテナコイル１１１および第２のアンテナコイル１３１は、スパイラル状以外に例えば１ターンのループ状アンテナを用いてもよい。
【００３７】
図３は、第１の実施の形態のＩＣリーダの回路の構成を示す図である。
前述したように、本実施の形態のＩＣリーダ１は、主回路１０、第１のアンテナ部１１、第２のアンテナ部１３、操作部１５、通知部１６、および外部通信部１７を備えている。
【００３８】
主回路１０は、リーダ制御部１０１、リーダ通信部１０２、およびアンテナ切替回路１０３を備えている。
リーダ制御部１０１は、このＩＣリーダ１全体を統括的に制御する制御部である。このリーダ制御部１０１には、図示しないＣＰＵ（Central Processing Unit）、図示しないＲＯＭや図示しないＲＡＭ（Random Access Memory）などのメモリが備えられている。そして、このＣＰＵが、メモリから読み出したプログラムを実行することで、ＩＣリーダ１の各部に対する制御処理を行う。
【００３９】
リーダ通信部１０２は、光ディスク３に設けられた非接触型ＩＣチップ３２との間で、非接触で通信するためのＲＦ（Radio Frequency）回路である。リーダ通信部１０２は、送信データを変調する図示しない変調回路、および受信データを復調する図示しない復調回路などを備えている。
【００４０】
アンテナ切替回路１０３は、光ディスクに設けられた非接触型ＩＣチップ３２と通信するための第１のアンテナ部１１および第２のアンテナ部１３に接続されている。アンテナ切替回路１０３は、リーダ制御部１０１からの命令に応じて、第１のアンテナコイル１１１および同調回路１１２を備える第１のアンテナ部１１、または、第２のアンテナコイル１３１および同調回路１３２を備える第２のアンテナ部１３のうちの一方のみを選択して導通状態とする。
【００４１】
操作部１５は、入力ボタン１５１、表示ボタン１５２、検索ボタン１５３などの各種の入力スイッチを備えており、ユーザによる操作入力に応じた制御信号をリーダ制御部１０１に出力する。入力ボタン１５１は、ユーザによる検索条件などの情報の入力を受け付けるためのボタンである。表示ボタン１５２は、第１のアンテナ部１１を動作させることによって非接触型ＩＣチップ３２に記録された情報を取得するためのボタンである。検索ボタン１５３は、第２のアンテナ部１３を動作させることによって非接触型ＩＣチップ３２に記録された情報を検索するためのボタンである。
【００４２】
通知部１６は、表示ディスプレイ１６１、アンテナ発光部１６２、投光部１６３、および音声出力部１６４を備えており、リーダ制御部１０１からの指令に応じてユーザにＩＣリーダ１の状態を通知する。表示ディスプレイ１６１は、第１のアンテナ部１１を通じて取得された非接触型ＩＣチップ３２に記録された情報や、第２のアンテナ部１３を通じて検索された結果などを表示する。アンテナ発光部１６２は、第１のアンテナ部１１または第２のアンテナ部１３によって非接触型ＩＣチップ３２と通信するときに発光する。投光部１６３は、たとえば、第２のアンテナ部１３によって取得した情報が検索条件に該当する場合に、第２のアンテナ部１３近傍から前方に向けて発光する。音声出力部１６４は、非接触型ＩＣチップ３２に記録された情報の検索結果などの、ＩＣリーダ１の状態を示す音声メッセージを出力する。
【００４３】
外部通信部１７は、リーダ制御部１０１の指令に従い、外部の情報機器との通信を行ってデータを送受信する。外部通信部１７によって、ＩｒＤＡ（登録商標）などの赤外線通信や、Ｂｌｕｅｔｏｏｔｈ（登録商標）などの無線通信により外部の電子機器と通信が可能である。
【００４４】
図４は、ＩＣリーダが光ディスクケースに収容された光ディスクの非接触型ＩＣチップと通信する際の様子を示す図である。
図４において、光ディスクケース２は、光ディスク３がその内部に装着される樹脂製の収納ケースであり、その外形は、ディスク面に対して垂直な方向が薄くされた直方体をなしている。また、ディスク面に平行な面（ケース主面）の一辺に接続する側面には、これに近接して、ＩＣリーダ１との間で信号を受け渡すためのブースタアンテナ２０（図２）を構成するアンテナコイル２２が設けられている。図４の例では、光ディスクケース２のベース部に対してカバー部が回転可能に連結する連結部側の側面に、ＩＣリーダ１と通信するためのアンテナコイル２２が設けられている。また、ブースタアンテナ２０を構成する他方のアンテナコイル２１は、装着された光ディスク３上のアンテナコイル３１に近接して対向するように、光ディスクケース２の内部に設けられている。なお、光ディスクケース２およびブースタアンテナ２０の詳細な構成については後述する。
【００４５】
前述したように、ＩＣリーダ１の前面には、平板状の第２のアンテナコイル１３１が設けられている。ＩＣリーダ１は、光ディスク３を収容した光ディスクケース２のブースタアンテナ２０のＩＣリーダ側のアンテナコイル２２に対して、互いの長軸方向および短軸方向を一致させた状態で第２のアンテナコイル１３１を対向させて近接させることで、光ディスクケース２のブースタアンテナ２０を介して光ディスク３の非接触型ＩＣチップ３２と通信することができる。これによって、光ディスク３の記録内容など、非接触型ＩＣチップ３２に記録された情報の検索を行うことができるようになる。
【００４６】
特に、このような光ディスクケース２を多数、収納棚に収容した場合には、光ディスクケース２同士はディスク面に平行な面（ケース主面）で互いに接触（または近接）するので、このケース主面にＩＣリーダ１をかざして非接触型ＩＣチップ３２と通信させることは不可能になる。しかし、収納棚に収容した状態でも、光ディスクケース２の少なくとも１つの側面は外部に露出しているので、この側面に図４のようにブースタアンテナ２０のアンテナコイル２２を設けておけば、この側面にＩＣリーダ１をかざすことで非接触型ＩＣチップ３２との通信が可能となる。
【００４７】
そして、本実施の形態のＩＣリーダ１によれば、収納棚に収容した状態で光ディスク３上の非接触型ＩＣチップ３２と通信することにより、例えば、非接触型ＩＣチップ３２に楽曲などの情報を記録しておき、この情報をＩＣリーダ１で読み出して表示装置に表示することや、指定したキーワードに合致する情報が非接触型ＩＣチップ３２に記録されていたときに、音声や光などで知らせるなど、所望の楽曲やデータが収録された光ディスク３の検索を容易にすることが可能になる。
【００４８】
一方、ＩＣリーダ１の他方の第１のアンテナコイル１１１は、光ディスク３に設けられたアンテナコイル３１に対向させて近接されることで、このアンテナコイル３１と電磁結合できるようにしたものである。従って、光ディスクケース２から取り出された光ディスク３、あるいは、光ディスクケース２に収容された光ディスク３に対して、そのディスク面に対向させてＩＣリーダ１の第１のアンテナコイル１１１を近接させることで、光ディスク３上の非接触型ＩＣチップ３２から情報を直接読み取ることが可能である。
【００４９】
なお、本実施の形態では、リモートコントローラ型のＩＣリーダ１の例を示したが、このＩＣリーダ１の形状や構成はあくまで一例である。ＩＣリーダの他の構成としては、例えば、ＩＣリーダ専用に構成されてもよく、携帯電話やその他の携帯用情報通信端末に組み込まれてもよい。
【００５０】
また、本実施の形態では、ＩＣリーダ１を非接触型ＩＣチップからの読み取りのみ行うものとするが、これに限らず、非接触型ＩＣチップに対する書き込みも可能なものとしてもよい。
【００５１】
また、表示ディスプレイ１６１は、表示面に対するユーザの接触操作を検出することでリーダ制御部１０１に対して制御信号を出力する、いわゆるタッチパネルとして形成されてもよい。
【００５２】
図５は、非接触型ＩＣチップが搭載された光ディスクの構成例を示す平面図である。
図５に示す光ディスク３は、ＣＤやＤＶＤ、ＨＤ−ＤＶＤ（High Definition Digital Versatile Disk）、ブルーレイディスク（Blu-ray Disc，ソニー株式会社の登録商標）などの一般的な光ディスク媒体に共通する、以下のような基本的構造を有している。すなわち、この光ディスク３には、中央部に中心孔３６が設けられており、この光ディスク３がディスクドライブに挿入されたときに、この中心孔３６を中心に回転され、信号記録面にレーザ光が照射されて、その反射光の光量に応じて信号が読み取られる。
【００５３】
光ディスク３の中心孔３６から所定距離分だけ外側の領域は、銀（Ａｇ）あるいはアルミニウム（Ａｌ）などの導電性材料からなる反射膜が成膜された信号記録領域３０となっている。なお、書き込み可能な光ディスクの場合には、この信号記録領域３０には反射膜の他、記録膜や誘電体膜などがさらに成膜される。
【００５４】
信号記録領域３０と中心孔３６との間は、ディスクドライブ内でこの光ディスク３をチャッキングするための領域であり、チャッキング領域３４などと呼ばれる。そして、このチャッキング領域３４には、非接触型ＩＣチップ３２と、この非接触型ＩＣチップ３２が外部のＩＣリーダとの間で非接触で通信するためのアンテナコイル３１とが設けられている。図５の例では、アンテナコイル３１を３ターンのスパイラル状のものとしている。このような形状のアンテナコイル３１は、例えば、通信周波数として１３．５６ＭＨｚに代表される短波帯を用いた場合に好適である。
【００５５】
なお、非接触型ＩＣチップ３２の非接触通信のためのアンテナは、光ディスク３の回転時における重量バランスを保つために、中心孔３６の周囲領域に、回転軸を中心としたスパイラル状（あるいはループ状）に設けられることが望ましい。また、このようなアンテナは、図５のようなチャッキング領域３４に限らず、例えば、反射膜が成膜された領域の裏面や、その領域よりさらに外側のディスク縁部のディスク基板に設けられてもよい。ただし、チャッキング領域３４およびその近傍にアンテナを配置した場合には、光ディスク３に対する加工領域を小さくできるというメリットがある。また、反射膜の成膜領域を避けてアンテナを配置することで、ディスク両面に信号を記録できることや、反射膜による電磁効果を軽減できることなどのメリットも生まれる。
【００５６】
図６は、ブースタアンテナを搭載した光ディスクケースの構成例の分解斜視図である。
図６に示すように、本実施の形態の光ディスクケース２は、基本的に、外部筐体を構成するベース部２３１およびカバー部２３２と、それらの内部に収容されるディスクトレイ２３３とから構成される。ベース部２３１とカバー部２３２とは連結部２３４において回転可能な状態で連結され、ベース部２３１に対してカバー部２３２が連結部２３４を中心として開閉するようになっている。また、カバー部２３２が閉じられた状態では、カバー部２３２がベース部２３１に対して嵌合して箱形の外形が形成され、その内部が密閉される。
【００５７】
ディスクトレイ２３３は、光ディスク３が装着される部材であり、ベース部２３１の内側に嵌着される。このディスクトレイ２３３には、光ディスク３が載置される円形凹状のディスク載置面２３５が形成され、その中心部には凸状のディスク保持部２３６が形成されている。ディスク保持部２３６の周囲は弾性を有し、このディスク保持部２３６に光ディスク３の中心孔３６が嵌合されて、光ディスク３が保持される。
【００５８】
このようなベース部２３１、カバー部２３２、およびディスクトレイ２３３の３つの部材から構成される光ディスクケース２は、主にＣＤ用の収納ケースとして最も一般的に流通されているものであり、“ジュエルケース”などと呼ばれる。なお、ベース部２３１、カバー部２３２、およびディスクトレイ２３３は、例えばポリスチレン樹脂材料によって形成され、一般には、少なくともベース部２３１およびカバー部２３２が透明樹脂材料により形成される。また、ベース部２３１およびカバー部２３２と、内部のディスクトレイ２３３とがそれぞれ別のメーカによって製造され、別々に流通される場合もある。
【００５９】
そして、本実施の形態では、この光ディスクケース２に収容された光ディスク３上の非接触型ＩＣチップ３２と通信するためのブースタアンテナ２０が、ディスクトレイ２３３に設けられる。図７に示すように、本実施の形態において、ブースタアンテナ２０は、アンテナコイル２１および２２が基板と一体化されたブースタアンテナユニット２０ａとして構成される。
【００６０】
図７は、光ディスクケースを構成するディスクトレイおよびブースタアンテナユニットの分解斜視図である。
図７に示すように、ブースタアンテナユニット２０ａは、非接触型ＩＣチップ３２との通信用のアンテナコイル２１と、ＩＣリーダ１との通信用のアンテナコイル２２と、各アンテナコイル２１および２２を接続する接続配線２４とからなるブースタアンテナ２０が、フレキシブル基板２５の上に形成された構成をなしている。各アンテナコイル２１および２２、接続配線２４は、例えば、アルミニウム（Ａｌ）や銅（Ｃｕ）などの金属材料をフレキシブル基板２５上に印刷などによって薄板状（または薄膜状）に形成したもの、または例えば、薄板平板状の金属材料とフレキシブル基板２５との貼り合せ材料から接続配線２４を残すようにエッチングしたものである。
【００６１】
また、非接触型ＩＣチップ３２側のアンテナコイル２１の中心領域には、フレキシブル基板２５にディスクトレイ２３３のディスク保持部２３６を貫通させるための中心孔２６が形成されている。さらに、この例では、フレキシブル基板２５におけるアンテナコイル２１および２２の間の領域に、ディスクトレイ２３３の表面形状に合わせるための折り曲げ部２７ａ〜２７ｃが形成されている。
【００６２】
なお、アンテナコイル２１および２２のアンテナ径や巻き数などは、それぞれ非接触型ＩＣチップ３２のアンテナコイル３１およびＩＣリーダ１の第２のアンテナ部１３の第２のアンテナコイル１３１のアンテナ径や巻き数などに応じて、良好な通信ができるように適切に決められればよい。
【００６３】
また、このブースタアンテナユニット２０ａに形成されるブースタアンテナ２０の回路構成は、図２に示した通りである。図７では、同調回路２３が形成されていないブースタアンテナユニット２０ａの例を示している。同調回路２３が必要な場合には、図７において、例えば、フレキシブル基板２５における接続配線２４が形成された領域に同調回路２３が設けられればよい。前述のように同調回路２３は、例えばコイル、コンデンサ、抵抗などから構成される。同調回路２３の具体的な実施例としては、例えば、コンデンサ（チップコンデンサ、図示せず）の一対の電極を接続配線２４の一対の配線にそれぞれ接続することで、アンテナコイル２１および２２に対して並列にコンデンサを接続することができる。この時、コンデンサの容量を調節することで、インピーダンスを変化させることができ、結果として通信周波数に対するインピーダンス整合を調整することができる。
【００６４】
本実施の形態の光ディスクケース２は、例えば、以下のような工程により製造される。まず、上述したように、フレキシブル基板２５上に、アンテナコイル２１および２２と接続配線２４とが印刷などにより形成されたブースタアンテナユニット２０ａが、平坦な状態で作製される。一方、射出成型などによりディスクトレイ２３３が形成される。
【００６５】
次に、ブースタアンテナユニット２０ａの折り曲げ部２７ａ〜２７ｃが、所定の方向に折り曲げ加工された後、そのブースタアンテナユニット２０ａが、中心孔２６をディスクトレイ２３３のディスク保持部２３６に位置合わせした状態で、ディスクトレイ２３３の上面（ディスク載置面２３５側の面）に固着される。この例では、フレキシブル基板２５のうち、アンテナコイル２１および接続配線２４の形成面の裏面が、ディスクトレイ２３３に対して固着される。この結果、ディスク保持部２３６の周囲を囲むようにアンテナコイル２１が配置され、ディスク保持部２３６に光ディスク３が嵌合されたときに、光ディスク３側のアンテナコイル３１とトレイ側のアンテナコイル２１との間で確実に電磁結合し、信号を送受信できるようになる。
【００６６】
このようなブースタアンテナユニット２０ａがディスクトレイ２３３に取り付けられる一方で、ベース部２３１とカバー部２３２とが射出成型により形成されて、それらが連結部２３４において回転可能に連結される。そして、カバー部２３２を開いた状態で、ベース部２３１の内部に、ブースタアンテナユニット２０ａが固着されたディスクトレイ２３３が嵌め込まれて固定される。このとき、ブースタアンテナユニット２０ａのアンテナコイル２２は、ディスクトレイ２３３の凸部２３７の端部の下部において、ベース部２３１の回転中心側の側面２３８（図６参照）の内側に密着するように配置される。
【００６７】
なお、ブースタアンテナユニット２０ａのアンテナコイル２２は、基本的に、ベース部２３１のトレイ取り付け面の４辺にそれぞれ接続する側面のいずれかに当接（または近接）するように配設されればよい。すなわち、アンテナコイル２２が当接された側面にＩＣリーダ１をかざすことで、光ディスク３上の非接触型ＩＣチップ３２と通信できるようになる。
【００６８】
ただし、上記構成の光ディスクケース２では、一般的に、カバー部２３２の回転中心側の側面２３８の内部に紙部材が配設されて、この側面２３８を通して光ディスク３に記録されたコンテンツのタイトルなどが表示されることが多い。このため、この光ディスクケース２を収納棚に収納した際には、側面２３８が収納棚の外部に露出する状態となることが多い。また、側面２３８の側にアンテナコイル２２を配設することで、他の側面に配設した場合と比較して、光ディスク３の着脱の際にユーザがアンテナコイル２２に接触してこれを破損する事態を防止できる。このような点から、アンテナコイル２２は側面２３８に当接するように配設されることが最も好ましい。
【００６９】
図８は、非接触型ＩＣチップ側およびＩＣリーダ側のアンテナ配置について説明するための図である。
光ディスク３上の非接触型ＩＣチップ３２と良好な通信を行う場合、ＩＣリーダ１側の第１のアンテナ部１１の第１のアンテナコイル１１１は、図８（Ａ）に示すように光ディスク３側のアンテナコイル３１と近接して対向し、かつ互いに同軸上にあることが望ましい。しかし、光ディスク３側のアンテナコイル３１とＩＣリーダ１側の第１のアンテナコイル１１１との位置関係が上記の状態からずれるに従って、これらの間の通信状態は悪化する。そして、図８（Ｂ）に示すように、ＩＣリーダ１側の第１のアンテナ部１１の第１のアンテナコイル１１１が光ディスク３の外縁のさらに外側にあり、かつ、この第１のアンテナコイル１１１と光ディスク３側のアンテナコイル３１のそれぞれの軸が直交するような状態のときには、ほぼ通信が不可能であることが多い。
【００７０】
このように、各アンテナの位置関係によって良好な通信が不可能の場合でも、各アンテナの間の通信を仲介するブースタアンテナを用いることで、良好な通信が可能になる。図８（Ｂ）に示すブースタアンテナは、光ディスク３側のアンテナコイル３１と対向するアンテナコイル２１と、ＩＣリーダ１側の第２のアンテナ部１３の第２のアンテナコイル１３１と対向するアンテナコイル２２とが、同調回路２３を介して互いに接続されて構成される。このようなブースタアンテナを用いることで、光ディスク３側のアンテナコイル３１とＩＣリーダ１側の第２のアンテナコイル１３１との間の通信を確保することができる。
【００７１】
図９は、光ディスクケースの別の構成例を示す正面図である。
図９の光ディスクケース５０は、基本的に、表面カバー部５１ａと裏面カバー部５１ｂとを備えた２つ折りの箱形形状を有している。表面カバー部５１ａと裏面カバー部５１ｂとはケース側面部５１ｃを介して折り曲げ可能に接続されており、これらは例えばポリプロピレンなどの樹脂材料によって一体に形成されている。すなわち、表面カバー部５１ａおよび裏面カバー部５１ｂは、それぞれケース側面部５１ｃとの境界部である折り曲げ部５２ａおよび５２ｂにおいて９０度折り曲げられ、このとき、表面カバー部５１ａと裏面カバー部５１ｂとが対向する状態となって内部が密閉される。また、このときケース側面部５１ｃは、表面カバー部５１ａおよび裏面カバー部５１ｂに対して垂直な状態となって、光ディスクケース５０の１つの側面を構成するようになる。
【００７２】
裏面カバー部５１ｂの内面には、光ディスク３が載置されるディスク載置面５３ａと、光ディスク３を保持するための凸状のディスク保持部５３ｂが一体に形成されている。前述した各実施の形態と同様に、ディスク保持部５３ｂの周囲は弾性を有し、このディスク保持部５３ｂに光ディスク３の中心孔３６が嵌合されることで、光ディスク３が保持される。一方、表面カバー部５１ａの内面は、例えば光ディスク３に収録されたコンテンツを説明するための冊子などを収容するための冊子収容面５４ａとなっており、この面には冊子を保持し、かつ係止するための凸状の係止部５４ｂが形成されている。
【００７３】
さらに、表面カバー部５１ａ、裏面カバー部５１ｂ、およびケース側面部５１ｃの外面（すなわち、ディスク載置面５３ａおよび冊子収容面５４ａの反対面）は、１枚の図示しない透明シートによって覆われている。この透明シートは、その４辺のうち３辺において、表面カバー部５１ａ、裏面カバー部５１ｂ、およびケース側面部５１ｃの端部と固着されているが、残る一辺は固着されずに開放されている。なお、ここでは例として、図９における上側を開放端部とする。そして、この開放端部から透明シートの内部に、例えばジャケット写真などが印刷されたパッケージ表示用のカード部材（図示せず）を挿入することが可能になっている。
【００７４】
以上のような基本構成を有する光ディスクケース５０は、主にＤＶＤ用の収納ケースとして最も一般的に流通されているものであり、“トールケース”などと呼ばれる。そして、本実施の形態では、このような既存の光ディスクケース５０に対して、ブースタアンテナ２０が形成されたブースタアンテナユニット２０ｂが搭載される。
【００７５】
ブースタアンテナユニット２０ｂの基本的な構成は上述した光ディスクケースの構成例と同様であり、アンテナコイル２１および２２と接続配線２４とがフレキシブル基板２５上に形成された構成となっている。このブースタアンテナユニット２０ｂは、裏面カバー部５１ｂの内面に、アンテナコイル２１の中心領域に設けた中心孔５６にディスク保持部５３ｂを貫通させた状態で固着される。このとき、アンテナコイル２２は、光ディスクケース５０を閉じた状態でケース側面部５１ｃの内面に当接するように配設される。
【００７６】
ここで、ブースタアンテナユニット２０ｂは、例えば、平坦な状態のままでそのフレキシブル基板２５の裏面全体が光ディスクケース５０の内面に固着される。そして、光ディスクケース５０が閉じられるときには、折り曲げ部５２ａおよび５２ｂが折り曲げられるのに連動して、アンテナコイル２２の形成領域と接続配線２４の形成領域との境界の折り曲げ部２７ａも折り曲げられる。この結果、ケース側面部５１ｃの外側にＩＣリーダ１をかざしたときに、ＩＣリーダ１の第２のアンテナ部１３の第２のアンテナコイル１３１とアンテナコイル２２とが電磁結合されるようになる。
【００７７】
また、ブースタアンテナユニット２０ｂは、あらかじめ折り曲げ部２７ａを境界とした９０度の折り曲げ加工が施された後、裏面カバー部５１ｂの内面に固着されてもよい。この場合、フレキシブル基板２５の裏面では、アンテナコイル２１および接続配線２４の形成領域のみが裏面カバー部５１ｂに固着されればよい。
【００７８】
なお、上記のトールケース型と同じ基本構成を有する光ディスクケースの例として、ケース内面に光ディスク３の載置面に隣接して、フラッシュメモリなどを備えるメモリカードを脱着可能な脱着部が設けられた光ディスクケースも存在する。このような光ディスクケースに対しても、前述した手法によってブースタアンテナを搭載させることが可能である。
【００７９】
次に、第１の実施の形態のＩＣリーダの動作について説明する。
図１０は、第１の実施の形態のＩＣリーダで実行されるメイン処理を説明するフローチャートである。
【００８０】
まず、ユーザによって操作部１５が操作されると、ＩＣリーダ１のリーダ制御部１０１は、ユーザによる操作部１５の操作を検出する（ステップＳ１１）。
次に、リーダ制御部１０１は、ステップＳ１１でユーザによる表示ボタン１５２の操作を検出したか否かを判定し（ステップＳ１２）、表示ボタン１５２の操作を検出していない場合には、ステップＳ１４の処理に進む一方、表示ボタン１５２の操作を検出した場合には、表示通信処理を実行し（ステップＳ１３）、その後、ステップＳ１８の処理に進む。この表示通信処理は、光ディスク３の非接触型ＩＣチップ３２に記録されている情報を表示する処理であり、詳しくは図１１において後述する。
【００８１】
次に、リーダ制御部１０１は、ステップＳ１１でユーザによる検索ボタン１５３の長押し操作（例えば、検索ボタン１５３を１秒以上押し続ける操作）を検出したか否かを判定し（ステップＳ１４）、検索ボタン１５３の長押し操作を検出していない場合には、ステップＳ１６の処理に進む一方、検索ボタン１５３の長押し操作を検出した場合には、検索通信処理を実行し（ステップＳ１５）、その後、ステップＳ１８の処理に進む。この検索通信処理は、光ディスク３の非接触型ＩＣチップ３２に記録されている情報の検索結果を表示する処理であり、詳しくは図１２において後述する。
【００８２】
次に、リーダ制御部１０１は、ステップＳ１１でユーザによる検索ボタン１５３の二度押し操作（例えば、検索ボタン１５３を１秒間に２回以上押す操作）を検出したか否かを判定し（ステップＳ１６）、検索ボタン１５３の二度押し操作を検出していない場合には、ステップＳ１８の処理に進む一方、検索ボタン１５３の二度押し操作を検出した場合には、検索条件取得処理を実行し（ステップＳ１７）、その後、ステップＳ１８の処理に進む。この検索条件取得処理は、光ディスク３の非接触型ＩＣチップ３２に記録されている情報を検索する検索条件を取得する処理であり、詳しくは図１３において後述する。
【００８３】
そして、リーダ制御部１０１は、ユーザによる操作が検出されている場合には、上記の処理を繰り返し（ステップＳ１８）、ユーザによる操作の検出が終了した場合には、処理を終了する。
【００８４】
次に、メイン処理のステップＳ１３で実行される表示通信処理について説明する。
図１１は、ＩＣリーダで実行される表示通信処理を説明するフローチャートである。
メイン処理において表示ボタン１５２のユーザによる操作が検出されると、リーダ制御部１０１によって図１１に示す表示通信処理が実行される。
【００８５】
まず、リーダ制御部１０１は、アンテナ切替回路１０３に対して、接続先を第１のアンテナ部１１に切り替える指令を送信し（ステップＳ２１）、接続された第１のアンテナ部１１によって、光ディスク３の非接触型ＩＣチップ３２の検出および記録されている情報の読み取りを試みる（ステップＳ２２）。そして、リーダ制御部１０１は、この非接触型ＩＣチップ３２の検出および読み取りに成功したか否かを判定し（ステップＳ２３）、検出および読み取りに失敗した場合には、ステップＳ２７の処理に進む一方、検出および読み取りに成功した場合には、ステップＳ２４の処理に進む。
【００８６】
非接触型ＩＣチップ３２の検出および読み取りに成功した場合、リーダ制御部１０１は、非接触型ＩＣチップ３２の検出および記録されている情報の読み取りに成功したことを示す検出メッセージを通知部１６に出力させ（ステップＳ２４）、非接触型ＩＣチップ３２との通信によって非接触型ＩＣチップ３２に記録されている必要な情報を取得し（ステップＳ２５）、取得した情報を通知部１６に設けられた表示ディスプレイ１６１に表示させ（ステップＳ２６）、その後、メイン処理に復帰する。
【００８７】
非接触型ＩＣチップ３２の検出または読み取りに失敗した場合、リーダ制御部１０１は、ステップＳ２２からステップＳ２３の処理を予め定められた規定回数（例えば、１０回）だけ繰り返す。そして、リーダ制御部１０１は、この繰り返しが規定回数を超えたか否かを判定し（ステップＳ２７）、繰り返しが規定回数を超えていない場合には、ステップＳ２２の処理に進む一方、繰り返しが規定回数を超えた場合には、非接触型ＩＣチップの検出または記録されている情報の読み取りに失敗したことを示す検出失敗メッセージを通知部１６に出力させ、その後、メイン処理に復帰する。
【００８８】
ここで、検出メッセージおよび検出失敗メッセージは、例えば、音声出力部１６４に所定の電子音や、合成音によるメッセージを出力させてもよい。また、アンテナ発光部１６２や投光部１６３による所定の発光パターンで、ユーザに対して非接触型ＩＣチップの検出または読み取りの成功または失敗を通知してもよい。
【００８９】
なお、上記のステップＳ２６では、非接触型ＩＣチップ３２から取得した情報をそのまま表示ディスプレイ１６１に表示する他に、例えば、取得した情報にあらかじめ対応付けられていた情報を表示してもよい。例えば、識別番号と楽曲名とを対応付けたテーブルをあらかじめ保持しておき、非接触型ＩＣチップ３２から識別番号を取得すると、テーブルを参照して対応する楽曲名を抽出し、表示ディスプレイ１６１に表示してもよい。
【００９０】
次に、メイン処理のステップＳ１５で実行される検索通信処理について説明する。
図１２は、第１の実施の形態のＩＣリーダで実行される検索通信処理を説明するフローチャートである。
【００９１】
メイン処理において検索ボタン１５３のユーザによる長押し操作が検出されると、リーダ制御部１０１によって図１２に示す検索通信処理が実行される。
まず、リーダ制御部１０１は、アンテナ切替回路１０３に対して、接続先を第２のアンテナ部１３に切り替える指令を送信し（ステップＳ３１）、接続された第２のアンテナ部１３によって、光ディスク３の非接触型ＩＣチップ３２の検出および記録されている情報の読み取りを試みる（ステップＳ３２）。そして、リーダ制御部１０１は、この非接触型ＩＣチップ３２の検出および読み取りに成功したか否かを判定し（ステップＳ３３）、検出および読み取りに失敗した場合には、ステップＳ３９の処理に進む一方、検出および読み取りに成功した場合には、ステップＳ３４の処理に進む。
【００９２】
非接触型ＩＣチップ３２の検出および読み取りに成功した場合、リーダ制御部１０１は、非接触型ＩＣチップ３２の検出および記録されている情報の読み取りに成功したことを示す検出メッセージを通知部１６に出力させ（ステップＳ３４）、非接触型ＩＣチップ３２との通信によって非接触型ＩＣチップ３２に記録されている必要な情報を取得する（ステップＳ３５）。
【００９３】
次に、リーダ制御部１０１は、取得した情報を、図１３の検索条件取得処理によって取得した検索条件によって検索して、検索条件に該当する情報を発見したか否かを判定する（ステップＳ３６）。検索条件に該当する情報を発見しない場合、リーダ制御部１０１は、ステップＳ３９に処理を進める一方、検索条件に該当する情報を発見した場合、非接触型ＩＣチップ３２に検索条件に該当する情報が記録されていることを示す検索該当メッセージを通知部１６に出力させ（ステップＳ３７）、取得した情報を通知部１６に設けられた表示ディスプレイ１６１に表示させ（ステップＳ３８）、その後、メイン処理に復帰する。
【００９４】
ステップＳ３３において非接触型ＩＣチップ３２の検出もしくは読み取りに失敗した場合、またはステップＳ３６において非接触型ＩＣチップ３２から検索条件に該当する情報を発見しなかった場合、リーダ制御部１０１は、ユーザによる検索ボタン１５３の長押しが解除されたか否かを判定し（ステップＳ３９）、長押しが解除されていない場合には、ステップＳ３２の処理に進む。これにより、ユーザにより検索ボタン１５３が長押しされている間、ステップＳ３２からステップＳ３６の処理が繰り返される。一方、長押しが解除されている場合には、非接触型ＩＣチップの検出または記録されている情報の読み取りに失敗したことを示す検出失敗メッセージを通知部１６に出力させ（ステップＳ４０）、その後、メイン処理に復帰する。
【００９５】
ここで、検出メッセージ、検出失敗メッセージ、および検索該当メッセージは、表示通信処理（図１１）のステップＳ２４の検出メッセージなどと同様に、例えば、音声出力部１６４に所定の電子音や、合成音によるメッセージを出力させてもよい。また、アンテナ発光部１６２や投光部１６３による所定の発光パターンで、ユーザに対して非接触型ＩＣチップの検出および読み取りの成功もしくは失敗、または検索条件に該当する情報の発見を通知してもよい。
【００９６】
次に、メイン処理のステップＳ１７で実行される検索条件取得処理について説明する。
図１３は、ＩＣリーダで実行される検索条件取得処理を説明するフローチャートである。
【００９７】
メイン処理において検索ボタン１５３のユーザによる二度押し操作が検出されると、リーダ制御部１０１によって図１３に示す検索条件取得処理が実行される。
まず、リーダ制御部１０１は、アンテナ切替回路１０３に対して、接続先を第２のアンテナ部１３に切り替える指令を送信する（ステップＳ４１）。なお、この検索条件取得処理では、第２のアンテナ部１３ではなく、第１のアンテナ部１１に切り替えて、検索条件を第１のアンテナ部１１を通じて取得するようにしてもよい。
【００９８】
次に、ユーザによって操作部１５が操作されると、リーダ制御部１０１は、ユーザによる操作部１５の操作を検出する（ステップＳ４２）。
次に、リーダ制御部１０１は、ステップＳ４２でユーザによる入力ボタン１５１の操作を検出したか否かを判定し（ステップＳ４３）、入力ボタン１５１の操作を検出していない場合には、接続された第２のアンテナ部１３によって、光ディスク３の非接触型ＩＣチップ３２の検出および記録されている情報の読み取りを試み（ステップＳ４６）、ステップＳ４７の処理に進む一方、入力ボタン１５１の操作を検出した場合には、ユーザによる入力ボタン１５１の操作を検出することによって検索条件の入力を受け付けて検索条件を取得し（ステップＳ４４）、取得した検索条件をリーダ制御部１０１内のＲＡＭに記憶し（ステップＳ４５）、ステップＳ５１の処理に進む。
【００９９】
次に、ステップＳ４７では、リーダ制御部１０１は、ステップＳ４６における非接触型ＩＣチップ３２の検出および読み取りに成功したか否かを判定し（ステップＳ４７）、検出および読み取りに失敗した場合には、ステップＳ５０の処理に進む一方、検出および読み取りに成功した場合には、第２のアンテナ部１３を通じて非接触型ＩＣチップ３２に記憶されている情報から検索条件を取得し（ステップＳ４８）、取得した検索条件をリーダ制御部１０１内のＲＡＭに記憶し（ステップＳ４９）、ステップＳ５１の処理に進む。
【０１００】
次に、ステップＳ５１では、検索条件の取得に成功したことを示す検索条件取得メッセージを通知部１６に出力させ（ステップＳ５１）、その後、メイン処理に復帰する。
ステップＳ４７において検出および読み取りに失敗した場合、リーダ制御部１０１は、ステップＳ４２からステップＳ４７の処理を予め定められた規定回数（例えば、１０回）だけ繰り返す。そして、リーダ制御部１０１は、この繰り返しが規定回数を超えたか否かを判定し（ステップＳ５０）、繰り返しが規定回数を超えていない場合には、ステップＳ４２の処理に進む一方、繰り返しが規定回数を超えた場合には、検索条件の取得に失敗したことを示す検索条件取得失敗メッセージを通知部１６に出力させ、その後、メイン処理に復帰する。
【０１０１】
ここで、検索条件取得メッセージおよび検索条件取得失敗メッセージは、表示通信処理（図１１）のステップＳ２４の検出メッセージなどと同様に、例えば、音声出力部１６４に所定の電子音や、合成音によるメッセージを出力させてもよい。また、アンテナ発光部１６２や投光部１６３による所定の発光パターンで、検索条件の取得または取得の失敗を通知してもよい。
【０１０２】
次に、本実施の形態のＩＣリーダによる光ディスクに搭載された非接触型ＩＣチップに記憶されている情報の検索時の様子について説明する。
まず、ＩＣリーダによって、前述した光ディスクケースに収容されている光ディスクの非接触型ＩＣチップを検出する際の様子を説明する。
【０１０３】
図１４は、ＩＣリーダで光ディスクケースに収容された非接触型ＩＣチップが搭載された光ディスクを検出する際の様子を示す図である。
例えば、従来、図１４のように非接触型ＩＣチップを搭載した光ディスクを収容する光ディスクケースが、立てられた状態で横に多数並べられているような場合に、光ディスクの非接触型ＩＣチップに記録されている情報を読み取るときには、通信を成立させるために、光ディスクケースを一々手に取って、または収容されている光ディスクを取り出して、光ディスクのディスク面に配置された非接触型ＩＣチップのアンテナコイルをＩＣリーダにかざさなければならなかった。
【０１０４】
これに対して、前述したブースタアンテナ２０を搭載した光ディスクケース２を上記と同様に多数並べた場合には、これらの光ディスクケース２の側面に配設された、ブースタアンテナ２０のアンテナコイル２２に対して、ＩＣリーダ１の前面の第２のアンテナコイル１３１を順次近接させていくことで、光ディスク３の非接触型ＩＣチップ３２から記録されている情報を読み取っていくことができる。従って、光ディスク３や光ディスクケース２に手を触れることなく、非接触型ＩＣチップ３２に記録されている情報を読み取ることができる。
【０１０５】
以下に、本実施の形態のＩＣリーダ１を、前述した光ディスク３および光ディスクケース２と組み合わせて、非接触型ＩＣチップ３２に記録されている情報の検索に用いた場合の様子について説明する。
【０１０６】
光ディスクケース２には、それぞれ前述したブースタアンテナユニットが備えられており、光ディスクケース２の側面側（図１４の手前側）には、ブースタアンテナユニットのＩＣリーダ側のアンテナコイル２２が設けられている。
【０１０７】
図１２において説明したように、ユーザがＩＣリーダ１の検索ボタン１５３を長押ししながら前面に設けられた第２のアンテナ部１３を、それぞれの光ディスクケース２のアンテナコイル２２に対して（図１４の例では左から右に）順次かざしていくことによって、それぞれの光ディスク３に搭載された非接触型ＩＣチップ３２に記録された情報を読み取ることができる。このとき、ＩＣリーダ１の通知部１６から、光ディスクの非接触型ＩＣチップ３２を検出し、通信に成功した旨を通知する検出メッセージが出力される。検出メッセージは、具体的には、ＩＣリーダ１の投光部１６３から照射される照射光１６３ａや、音声出力部から出力される音声メッセージ１６４ａ〜１６４ｃなどである。
【０１０８】
ＩＣリーダ１は、照射光１６３ａの特定の発光パターン（例えば、ＩＣリーダ１が非接触型ＩＣチップ３２を検出し、通信に成功する都度発光して照射光１６３ａを出力）や、音声メッセージ１６４ａ〜１６４ｃの特定の音（例えば、ＩＣリーダ１が非接触型ＩＣチップ３２を検出し、通信に成功する都度「ピッ！」という電子音）などを出力する。これらによって、ユーザに非接触型ＩＣチップ３２の検出および通信の成功を通知することができる。また、このとき照射光１６３ａは、ＩＣリーダ１の検出対象の光ディスクケース２に向けて投光されるので、ユーザにＩＣリーダ１が現在どの光ディスクケース２と通信を試みているかを簡単に認識させることができる。
【０１０９】
また、光ディスクケース２の構造や配置などによって、光ディスクケース２の外から内部の光ディスクの有無を視認し難い場合であっても、ユーザに通知部１６による検出メッセージによって、当該光ディスクケース２の内部に非接触型ＩＣチップ３２を搭載した光ディスク３が収容されていることを通知することができる。
【０１１０】
このとき、光ディスクケース２に、非接触型ＩＣチップ３２を搭載した光ディスク３が収容されていなければ、検出メッセージは出力されない。これにより、ユーザに当該光ディスクケース２は空であるか、当該光ディスクケースに収容されている光ディスクは非接触型ＩＣチップ３２を搭載していないかのいずれかであることを認識させることができる。
【０１１１】
なお、ＩＣリーダ１の検出メッセージを出力する投光部１６３を、紫外線を発光する紫外線ＬＥＤなどで構成するとともに、光ディスクケース２の背面側のアンテナコイル２２が配置されている部分に、ルミノーバ（登録商標）などの、紫外線の照射を受けると蓄光する蓄光塗料を塗布しておいてもよい。これにより、ＩＣリーダ１の投光部１６３から検出メッセージとして出力される紫外線の照射光１６３ａを受光すると、図１４の受光部分２９ａ〜２９ｃのように、しばらくの間発光し続けるので、ユーザに、ＩＣリーダ１によって検出され、通信に成功した非接触型ＩＣチップ３２を搭載した光ディスクが収容されている光ディスクケース２を、より明確に認識させることができる。
【０１１２】
そして、図１２の検索通信処理の実行時において、非接触型ＩＣチップ３２の検出および通信に成功したＩＣリーダ１は、その非接触型ＩＣチップ３２に記憶されている情報について検索を行う。
【０１１３】
なお、光ディスクケース２が、横に寝かされて縦に積み上げられているような場合には、ユーザは、ＩＣリーダ１を、前後方向を軸にして右または左に９０度回転させた状態で用いることにより、同様の効果を発揮させることができる。
【０１１４】
次に、ＩＣリーダによって、前述した光ディスクの非接触型ＩＣチップに記憶されている情報について検索する際の様子を説明する。
図１５は、光ディスクケースに収容された光ディスクの非接触型ＩＣチップに記録された情報の検索に成功した際の様子を示す図である。
【０１１５】
ＩＣリーダ１は、図１４において前述したように、検索時において光ディスクケース２に収容された光ディスク３に搭載された非接触型ＩＣチップ３２の検出および通信に成功すると、非接触型ＩＣチップ３２に記憶されている情報に対して、検索条件に該当する情報があるか否かについて検索を行う。
【０１１６】
そして、この検索の結果、非接触型ＩＣチップ３２に記憶されている検索条件に該当する情報がない場合には、ＩＣリーダ１から音声メッセージ１６４ａ，１６４ｂや照射光１６３ａなどの前述した検出メッセージが出力されるのみであり、当該非接触型ＩＣチップ３２の検索の実行に応じては、ＩＣリーダ１の通知部１６から検索に関するメッセージは出力されない。
【０１１７】
一方、検索の結果、非接触型ＩＣチップ３２に記憶されている検索条件に該当する情報がある場合には、ＩＣリーダ１の通知部１６から、検出メッセージと異なり、ユーザに検索に成功したことを通知する検索成功メッセージが出力される。検索成功メッセージは、具体的には、ＩＣリーダ１の投光部１６３から照射される、照射光１６３ａとは異なるパターンの照射光１６３ｂや、音声出力部から出力される音声メッセージ１６４ａ〜１６４ｃとは異なる音声メッセージ１６４ｄなどである。
【０１１８】
このように、ＩＣリーダ１は、検出メッセージとは異なる照射光１６３ａの特定の発光パターン（例えば、ＩＣリーダ１が非接触型ＩＣチップ３２に記憶されている情報の検索に成功した場合に、検出メッセージと異なる色で発光する別の発光部が発光して照射光１６３ｂを出力）や、音声メッセージ１６４ａ〜１６４ｃとは異なる特定の音声メッセージ１６４ｄ（例えば、ＩＣリーダ１が非接触型ＩＣチップ３２に記憶されている情報から「運動会」というキーワードを含む情報の検索に成功した場合に、「運動会のディスクを見つけました」という合成音声）などによって、ユーザに非接触型ＩＣチップ３２に記憶されている情報の検索の成功を通知することができる。
【０１１９】
これにより、ユーザは、複数並べられた光ディスクケース２に触れることなく、検索条件に従って、光ディスク３が搭載している非接触型ＩＣチップ３２に記録されている情報を検索することができるとともに、検索結果を容易に認識することができる。
【０１２０】
なお、ＩＣリーダ１の投光部１６３の照射光１６３ａによる発光パターンの他の例として、まず常時発光させておき、非接触型ＩＣチップ３２の検出および通信の成功時に所定の発光パターン（例えば、長い周期の点滅）で投光し、さらに非接触型ＩＣチップ３２に記憶されている情報の検索の成功時にさらに異なる発光パターン（例えば、短い周期の点滅）で投光するようにしてもよい。
【０１２１】
また、検出メッセージと同様に、検索成功メッセージを出力するＩＣリーダ１の投光部１６３を、紫外線を発光する紫外線ＬＥＤなどで構成するとともに、光ディスクケース２の背面側のアンテナコイル２２が配置されている部分に、ルミノーバ（登録商標）などの、紫外線の照射を受けると蓄光する蓄光塗料を塗布しておいてもよい。これにより、ＩＣリーダ１の投光部１６３から検索成功メッセージとして出力される紫外線の照射光１６３ｂを受光すると、図１５の受光部分２９ｄのように、照射光１６３ｂが照射されなくなっても、しばらくの間発光し続けるので、ユーザに、ＩＣリーダ１による情報の検索に成功した非接触型ＩＣチップ３２を搭載した光ディスク３が収容されている光ディスクケース２を、より明確に認識させることができる。
【０１２２】
次に、光ディスクに搭載された非接触型ＩＣチップに記録されている情報について説明する。
図１６〜図１９は、非接触型ＩＣチップに記録されているディスク主情報およびディスク補助情報を示す図である。
【０１２３】
本実施の形態のＩＣリーダ１は、ユーザが、動画ファイル、データファイル、プログラムファイル、音楽ファイルなどの、光ディスク３に記録されている内容の検索を行うために、非接触型ＩＣチップ３２に記録されている情報から検索条件に該当する情報の有無を判定する機能を備えている。ここで、ＩＣリーダ１による検索に用いられる、非接触型ＩＣチップ３２に記録される情報について説明する。
【０１２４】
光ディスク３の非接触型ＩＣチップ３２に記録されている情報は、図１６〜図１９に示すように、ディスク主情報４１１〜４１４と、ディスク補助情報４２１〜４２４とにより構成されている。
【０１２５】
ディスク主情報４１１〜４１４は、例えば、図１６に示すように、「要素番号」、「情報種別」、および「内容」の３つの情報から構成され、横方向に並べられた情報同士が互いに関連付けられて、非接触型ＩＣチップ３２に格納されているディスク主情報テーブルに格納されている。
【０１２６】
要素番号は、ディスク主情報テーブルに格納されている各ディスク主情報を識別するために割り当てられた番号である。要素番号は、関連付けられた各ディスク主情報に対して、各非接触型ＩＣチップ３２内でユニークに割り当てられる。
【０１２７】
情報種別は、そのディスク主情報がどのような種類の情報であるかを示す情報である。情報種別には、例えば、その非接触型ＩＣチップ３２を識別するための記号である「チップＩＤ」、その非接触型ＩＣチップ３２を搭載している光ディスクを識別するための記号である「ディスクＩＤ」、そのディスク主情報が、テレビ番組を録画した動画データに対応付けられているものであることを示す「ＴＶ番組」、そのディスク主情報が、音楽曲を録音した音楽データに対応付けられているものであることを示す「音楽曲」などがある。なお、情報種別の種類は、これに限られず、必要に応じて定めることができる。
【０１２８】
内容は、そのディスク主情報が示す情報である。この内容は、情報種別に応じたものが格納される。例えば、情報種別が「ディスクＩＤ」や「チップＩＤ」の場合には、それぞれディスクＩＤまたはチップＩＤを示す記号が格納される。情報種別が「ＴＶ番組」や「音楽曲」の場合には、それぞれテレビ番組または音楽曲のタイトルが格納される。
【０１２９】
ディスク補助情報４２１〜４２４は、例えば、図１６に示すように、「要素番号」、「主情報番号」、「情報種別」、および「内容」の４つの情報から構成され、横方向に並べられた情報同士が互いに関連付けられて、非接触型ＩＣチップ３２に格納されているディスク主情報テーブルに格納されている。ディスク補助情報４２１〜４２４は、光ディスク３に記録されている内容の検索に用いるための情報であり、本実施の形態では、ディスク主情報の前述したＴＶ番組および音楽曲に従属して設けられている。
【０１３０】
要素番号は、ディスク補助情報テーブルに格納されている各ディスク補助情報を識別するために割り当てられた番号である。要素番号は、関連付けられた各ディスク補助情報に対して、各非接触型ＩＣチップ３２内でユニークに割り当てられる。主情報番号は、そのディスク補助情報が従属しているディスク主情報を特定するための番号である。主番号情報は、ディスク主情報の要素番号が用いられる。この主情報番号によって、１つのディスク主情報に対して１つ以上のディスク補助情報が対応付けられる。
【０１３１】
情報種別は、そのディスク補助情報がどのような種類の情報であるかを示す情報である。情報種別には、例えば、そのディスク補助情報がテレビ番組に関するものである場合には、「番組録画時間」、「番組副タイトル」、「番組種別」、「番組出演者」などがあり、そのディスク補助情報が音楽曲に関するものである場合には、「音楽演奏時間」、「音楽歌手」、「音楽作詞作曲」などがある。なお、情報種別の種類は、これに限られず、必要に応じて定めることができる。
【０１３２】
内容は、そのディスク補助情報が示す情報である。この内容は、情報種別に応じたものが格納される。例えば、情報種別が「番組録画時間」の場合には、テレビ番組の録画開始時間および録画終了時間が格納される。情報種別が「番組副タイトル」の場合には、テレビ番組の副タイトルが格納される。情報種別が「番組種別」の場合には、「ニュース」や「スポーツ」などのテレビ番組の種別が格納される。情報種別が「番組出演者」の場合には、テレビ番組の出演者名が格納される。情報種別が「音楽演奏時間」の場合には、音楽曲の演奏の録音時間が格納される。情報種別が「音楽歌手」の場合には、音楽曲の歌手名が格納される。情報種別が「音楽作詞作曲」の場合には、音楽曲の作詞者名および作曲者名が格納される。
【０１３３】
本実施の形態のＩＣリーダ１は、光ディスク３の非接触型ＩＣチップ３２に記録されているこれらのディスク主情報およびディスク補助情報に基づいて、光ディスク３に記録されている内容を検索することができる。
【０１３４】
次に、本実施の形態のＩＣリーダ１で行われる検索および検索時にＩＣリーダ１の表示ディスプレイ１６１に表示される検索表示画面について説明する。
図２０〜図２５は、表示ディスプレイに表示される検索表示画面を示す図である。
【０１３５】
検索表示画面４３１〜４３６は、大別すると、「検出情報欄」、「検索キーワード欄」、および「履歴欄」から構成されている。
検出情報欄は、「チップＩＤ欄」、「検索結果欄」、および「一致度表示欄」から構成されている。
【０１３６】
チップＩＤ欄は、ＩＣリーダ１が非接触型ＩＣチップ３２を検出した場合に、その非接触型ＩＣチップ３２と通信して取得したディスク主情報（図１６〜図１９参照）のチップＩＤが表示される欄である。
【０１３７】
検索結果欄は、ＩＣリーダ１が検索条件に基づき非接触型ＩＣチップ３２に記録されている情報を検索した結果、検索条件に該当する情報を発見した場合に、その発見された情報および発見された情報に関連する情報が表示される欄である。
【０１３８】
一致度表示欄は、ＩＣリーダ１が検索条件に基づき非接触型ＩＣチップ３２に記録されている情報を検索して検索条件に該当した情報について、検索キーワードに基づく検索結果の一致の程度を評価した値である一致度を表示する欄である。この一致度は、例えば、検索条件に該当した情報の、検索対象のディスク主情報およびディスク補助情報の項目数に対する、検索キーワードと一致した項目数の比によって算出するが、これに限らず、他の尺度を用いることができる。
【０１３９】
検索キーワード欄は、「キーワード欄」および「検索項目選択ボタン」から構成されている。キーワード欄は、検索条件を構成するキーワードを入力する欄である。検索項目選択ボタンは、検索条件を構成する検索対象の指定を入力する選択ボタンである。
【０１４０】
なお、検索条件は、外部通信部１７を通じて、例えば携帯電話などの外部の情報端末装置から取得してもよい。
履歴欄は、「検索履歴タブ」および「検出履歴タブ」を備えている。
検索履歴タブを選択すると、過去に検索したキーワードが表示される。検出履歴タブを選択すると、過去に検出された情報が表示される。これらの検索履歴タブおよび検出履歴タブによって表示された語句を選択してコピーすることによって、検索のためのキーワードとして用いることができる。
【０１４１】
図２０は、キーワードを「北野一郎」として「人物」について検索するように設定されている場合であって、光ディスク３が検出できない状態における検索表示画面４３１を示している。ここで例えば、「人物」について検索するように設定した場合、図１６〜図１９で示した非接触型ＩＣチップに記録されているディスク主情報４１１〜４１４およびディスク補助情報４２１〜４２４の中から、情報種別として「番組出演者」「音楽歌手」「音楽作詞作曲」などの人物に関する情報として格納されている中から、キーワード検索をするように設定したことに相当する。
【０１４２】
図２１は、キーワードを「北野一郎」として「人物」について検索するように設定されている場合であって、チップＩＤが「９Ｅ８Ｆ２Ｄ６４ＡＣ３５Ｂ７０２」である光ディスク３（図１７参照）を検出したが、検索条件に該当する情報を発見できなかった状態における検索表示画面４３２を示している。すなわち、図１７で例示した情報の格納状態に対して、情報種別として「番組出演者」「音楽歌手」「音楽作詞作曲」などの人物に関する情報の中に、「北野一郎」が格納されていなかったことに相当する。
【０１４３】
図２２は、キーワードを「北野一郎」として「人物」について検索するように設定されている場合であって、チップＩＤが「９Ｅ８Ｆ２Ｄ６４ＡＣ３５Ｂ７０１」である光ディスク３（図１６参照）を検出し、検索条件に該当する情報を発見した状態における検索表示画面４３３を示している。すなわち、図１６で例示した情報の格納状態に対して、ディスク補助情報４２１の中の情報種別として「番組出演者」である要素番号Ｂ３に検索条件に該当する情報を発見し、ディスク主情報４１１の中の要素番号Ａ３の「ＴＶ番組」「おはよう朝です」が検索結果であることを表示している。
【０１４４】
図２３は、キーワードを「北野一郎」として「人物」について検索するように設定されている場合であって、チップＩＤが「９Ｅ８Ｆ２Ｄ６４ＡＣ３５Ｂ７０３」である光ディスク３（図１８参照）を検出し、検索条件に該当する情報を発見した状態における検索表示画面４３４を示している。この場合、図１８で例示した情報の格納状態に対して、ディスク補助情報４２３の中の情報種別として「番組出演者」である要素番号Ｂ３に検索条件に類似した「北野二郎」という情報（「北野一郎」と１文字違いの情報）を発見し、検索結果の一致度が「２５%」という低い状態ではあるものの、ディスク主情報４１３の中の要素番号Ａ３の「ＴＶ番組」「野球中継」が類似した検索結果であることを表示している。
【０１４５】
図２４は、キーワードを「空上健一」として「全て」について検索するように設定されている場合であって、チップＩＤが「９Ｅ８Ｆ２Ｄ６４ＡＣ３５Ｂ７０２」である光ディスク３（図１７参照）を検出し、検索条件に該当する情報を発見した状態における検索表示画面４３５を示している。この場合、図１７で例示した情報の格納状態に対して、情報種別として全てに検索を行った結果、ディスク補助情報４２２の中の要素番号Ｂ９に検索条件に該当する情報を発見し、ディスク主情報４１２の中の要素番号Ａ５の「音楽曲」「明日は天気」の中の作曲者として一致度が低い状態で検索結果に該当したことを表示している。
【０１４６】
図２５は、キーワードを「空上健一」として「全て」について検索するように設定されている場合であって、チップＩＤが「９Ｅ８Ｆ２Ｄ６４ＡＣ３５Ｂ７０４」である光ディスク３（図１９参照）を検出し、検索条件に該当する情報を発見した状態における検索表示画面４３６を示している。すなわち、図１８で例示した情報の格納状態に対して、情報種別として全てに検索を行った結果、ディスク補助情報４２４の中の要素番号Ｂ２、Ｂ３、Ｂ５、Ｂ６、Ｂ８、Ｂ９に検索条件に該当する情報を発見し、ディスク主情報４１４の中の要素番号Ａ３、Ａ４、Ａ５の３つの「音楽曲」が検索結果であることを表示している。
【０１４７】
以上説明した第１の実施の形態のＩＣリーダ１によれば、非接触型ＩＣチップ３２と光ディスク３の回転中心を中心として形成された非接触通信用のアンテナコイル３１とが設けられた光ディスク３を内部に収容する光ディスクケース２であって、光ディスクの非接触型ＩＣチップ３２との通信を補助するブースタアンテナ２０を側面に備える光ディスクケース２に対し、その光ディスクケース２を閉じた状態で、情報読み取り装置の第２のアンテナを、ブースタアンテナ２０が設けられているケース側面に近接させることで、ＩＣリーダ１と光ディスク３上の非接触型ＩＣチップ３２との間で確実に通信できるようになる。
【０１４８】
この結果、非接触型ＩＣチップ３２が設けられた光ディスク３について、光ディスクケース２に収納された光ディスク３が並べられた状態、ならびに、光ディスク３を収納した光ディスクケース２単体、および光ディスクケース２に収納されていない光ディスク３単体の状態のいずれの状態でも、光ディスク３の非接触型ＩＣチップ３２と容易に通信でき、光ディスク３の記録内容などの、非接触型ＩＣチップ３２に記録されている情報を容易に把握することが可能になる。
【０１４９】
さらに、第２のアンテナで非接触型ＩＣチップ３２から情報を取得する場合には、非接触型ＩＣチップ３２からの、検索条件に該当する情報の検索が可能になる。これにより、例えば、光ディスクケース２が多数並べられている場合でも、その状態のままで、所望のデータを記憶した光ディスク３が収容されている光ディスクケース２を簡単に探し出すことができる。
【０１５０】
［第２の実施の形態］
次に、第２の実施の形態について説明する。横に複数並べられた光ディスクケース２に収納された光ディスク３の非接触型ＩＣチップ３２の記録内容を、ＩＣリーダによって検索する際、移動速度が速過ぎる場合には、読み取りエラーが発生したり、非接触型ＩＣチップ３２の読み飛ばしが発生したりする可能性がある。このため、第２の実施の形態のＩＣリーダ７は、ＩＣリーダ７自身の移動速度を検出する移動速度検出部７８によって検索中の移動速度を検出する。そして、本実施の形態のＩＣリーダ７は、検出された移動速度が所定の範囲内であれば、速度が適正であることを通知し、検出された移動速度が速過ぎるなど、所定の範囲外である場合には、ユーザに対して移動速度が異常であることを通知する点で第１の実施の形態と異なる。なお、他の構成要素については同一符号としており、説明を省略する。
【０１５１】
図２６は、第２の実施の形態のＩＣリーダの回路の構成を示す図である。
本実施の形態のＩＣリーダ７は、第１の実施の形態と同様に、主回路１０、第１のアンテナ部１１、第２のアンテナ部１３、操作部１５、通知部１６、および外部通信部１７を備えている。また、本実施の形態のＩＣリーダ７は、これに加えて、移動速度検出部７８を備えている。なお、このＩＣリーダ７の外観や、アンテナコイルの配置などは、第１の実施の形態と同様である。
【０１５２】
主回路１０は、第１の実施の形態と同様に、リーダ制御部１０１、リーダ通信部１０２、およびアンテナ切替回路１０３を備えている。
第１の実施の形態と同様に、リーダ制御部１０１は、このＩＣリーダ７全体を統括的に制御する制御部である。リーダ通信部１０２は、光ディスク３に設けられた非接触型ＩＣチップ３２との間で、非接触で通信するためのＲＦ回路である。アンテナ切替回路１０３は、光ディスクに設けられた非接触型ＩＣチップと通信するための第１のアンテナ部１１および第２のアンテナ部１３と接続されている。
【０１５３】
第１の実施の形態と同様に、操作部１５は、入力ボタン１５１、表示ボタン１５２、検索ボタン１５３などの各種の入力スイッチが設けられており、ユーザによる操作入力に応じた制御信号をリーダ制御部１０１に出力する。通知部１６は、表示ディスプレイ１６１、アンテナ発光部１６２、投光部１６３、および音声出力部１６４を備えており、リーダ制御部１０１からの指令に応じてユーザにＩＣリーダ７の状態を通知する。外部通信部１７は、リーダ制御部１０１の指令に従い、外部の情報機器との通信を行ってデータを送受信する。
【０１５４】
移動速度検出部７８は、ＩＣリーダ７の移動速度を検出する。この移動速度検出部７８は、加速度センサを備えており、ＩＣリーダ７の厚さ方向、すなわちアンテナコイル１３１の短軸方向（１次元方向）の移動速度を検出することができる。移動速度検出部７８によって検出された移動速度に基づき、リーダ制御部１０１によって、第２のアンテナ部１３による読み取り動作中のＩＣリーダ７の移動速度が、所定の速度より速いか否かについて判定される。そして、この移動速度が、所定の速度以下である場合には、検索が実行されるとともに、リーダ制御部１０１の指令に基づいて、通知部１６より速度が適正であることを示す速度適正メッセージ、および検索が正常に実行されていることを示す検出メッセージが通知される一方、この移動速度が所定の速度より速い場合には、リーダ制御部１０１の指令に基づいて、通知部１６より速度異常メッセージが出力されることにより、ユーザに対して異常が通知される。
【０１５５】
なお、本実施の形態のＩＣリーダ７が備える移動速度検出部７８は、１次元方向の移動速度を検出するが、これに限らず、２次元方向（例えば、ＩＣリーダ７の厚さ方向に加えて、さらにＩＣリーダ７の幅方向）の移動を検出可能にしてもよく、さらに３次元方向（すなわち、全方向）の移動を検出可能にしてもよい。
【０１５６】
次に、第２の実施の形態のＩＣリーダの動作について説明する。
まず、第２の実施の形態において、メイン処理のステップＳ１５で実行される検索通信処理について説明する。本実施の形態の検索通信処理では、本処理の実行時において、ＩＣリーダ７の移動速度を検出する移動速度検出処理が実行される点が、第１の実施の形態と異なる。
【０１５７】
図２７は、第２の実施の形態のＩＣリーダで実行される検索通信処理を説明するフローチャートである。
第２の実施の形態においても、第１の実施の形態と同様に、メイン処理において検索ボタン１５３のユーザによる長押し操作が検出されると、リーダ制御部１０１によって図２７に示す検索通信処理が実行される。
【０１５８】
まず、リーダ制御部１０１は、アンテナ切替回路１０３に対して、接続先を第２のアンテナ部１３に切り替える指令を送信し（ステップＳ６１）、移動速度検出処理を実行し（ステップＳ６２）する。この移動速度検出処理は、移動速度検出部７８によってＩＣリーダ７の移動速度を検出し、検出された移動速度が正常であるか否かを判定する処理であり、詳しくは図２８において後述する。
【０１５９】
次に、リーダ制御部１０１は、接続された第２のアンテナ部１３によって、光ディスク３の非接触型ＩＣチップ３２の検出および記録されている情報の読み取りを試みる（ステップＳ６３）。そして、リーダ制御部１０１は、この非接触型ＩＣチップ３２の検出および読み取りに成功したか否かを判定し（ステップＳ６４）、検出および読み取りに失敗した場合には、ステップＳ７０の処理に進む一方、検出および読み取りに成功した場合には、ステップＳ６５の処理に進む。
【０１６０】
非接触型ＩＣチップ３２の検出および読み取りに失敗した場合、リーダ制御部１０１は、ステップＳ７０に処理を進める一方、非接触型ＩＣチップ３２の検出および読み取りに成功した場合、非接触型ＩＣチップ３２の検出および記録されている情報の読み取りに成功したことを示す検出メッセージを通知部１６に出力させ（ステップＳ６５）、非接触型ＩＣチップ３２との通信によって非接触型ＩＣチップ３２に記録されている必要な情報を取得する（ステップＳ６６）。
【０１６１】
次に、リーダ制御部１０１は、取得した情報を、図１３の検索条件取得処理によって取得した検索条件によって検索して、検索条件に該当する情報を発見したか否かを判定する（ステップＳ６７）。検索条件に該当する情報を発見しない場合、リーダ制御部１０１は、ステップＳ７０に処理を進める一方、検索条件に該当する情報を発見した場合、非接触型ＩＣチップ３２に検索条件に該当する情報が記録されていることを示す検索該当メッセージを通知部１６に出力させ（ステップＳ６８）、取得した情報を通知部１６に設けられた表示ディスプレイ１６１に表示させ（ステップＳ６９）、その後、メイン処理に復帰する。
【０１６２】
ステップＳ６４において非接触型ＩＣチップ３２の検出または読み取りに失敗した場合、またはステップＳ６７において非接触型ＩＣチップ３２から検索条件に該当する情報を発見しなかった場合、リーダ制御部１０１は、ユーザによる検索ボタン１５３の長押しが解除されたか否かを判定し（ステップＳ７０）、長押しが解除されていない場合には、ステップＳ６２の処理に進む（これにより、ユーザにより検索ボタン１５３が長押しされている間、ステップＳ６２からステップＳ６７の処理が繰り返される）一方、長押しが解除されている場合には、非接触型ＩＣチップの検出または記録されている情報の読み取りに失敗したことを示す検出失敗メッセージを通知部１６に出力させ（ステップＳ７１）、その後、メイン処理に復帰する。
【０１６３】
ここで、検出メッセージ、検出失敗メッセージ、および検索該当メッセージは、第１の実施の形態の表示通信処理（図１１）のステップＳ２４の検出メッセージなどと同様に、例えば、音声出力部１６４に所定の電子音や、合成音によるメッセージを出力させてもよい。また、アンテナ発光部１６２や投光部１６３による所定の発光パターンで、ユーザに対して非接触型ＩＣチップの検出および読み取りの成功または失敗、もしくは検索条件に該当する情報の発見を通知してもよい。
【０１６４】
次に、第２の実施の形態の検索通信処理のステップＳ６２で実行される移動速度検出処理について説明する。
図２８は、第２の実施の形態のＩＣリーダで実行される移動速度検出処理を説明するフローチャートである。
【０１６５】
図２７に示す第２の実施の形態の検索通信処理の実行中には、ステップＳ６２において、リーダ制御部１０１により図２８に示す移動速度検出処理が実行される。
まず、リーダ制御部１０１は、移動速度検出部７８が備える加速度センサによって、ＩＣリーダ７の移動速度を検出する（ステップＳ８１）。
【０１６６】
次に、リーダ制御部１０１は、ステップＳ８１において検出したＩＣリーダ７の移動速度が、所定の速度より速いか否かを判定する（ステップＳ８２）。ＩＣリーダ７の移動速度が所定の速度より速い場合、リーダ制御部１０１は、ＩＣリーダ７の移動速度が異常であることを示す速度異常メッセージを通知部１６に出力させ（ステップＳ８３）、その後、検索通信処理に復帰する一方、ＩＣリーダ７の移動速度が所定の速度以下である場合、ＩＣリーダ７の移動速度が適正であることを示す速度適正メッセージを通知部１６に出力させ（ステップＳ８４）、その後、検索通信処理に復帰する。
【０１６７】
次に、第２の実施の形態のＩＣリーダによる非接触型ＩＣチップに記憶されている情報の検索時における移動速度の検出の様子について説明する。ここでは、本実施の形態のＩＣリーダ７を、前述した光ディスク３および光ディスクケース２と組み合わせて、非接触型ＩＣチップ３２に記録されている情報の検索に用いた場合の様子について説明する。
【０１６８】
図２９は、第２の実施の形態のＩＣリーダによる移動速度の検出の際の様子を示す図である。
図２９のように非接触型ＩＣチップ３２を搭載した光ディスク３を収容する、ブースタアンテナを搭載した光ディスクケース２が、立てられた状態で横に多数並べられているような場合に、第２の実施の形態のＩＣリーダ７を移動させながら、ブースタアンテナ２０のアンテナコイル２２が設けられたケース側面に順次向けていくことで、非接触型ＩＣチップ３２に記録されている情報を順次読み取っていくことができる。これによって、各光ディスク３に搭載されている非接触型ＩＣチップ３２から、情報を検索することができる。
【０１６９】
すなわち、図１４と同様に、光ディスクケース２には、それぞれ前述したブースタアンテナユニットが備えられており、光ディスクケース２の側面側（図２９の手前側）には、ブースタアンテナユニットのＩＣリーダ側のアンテナコイル２２が設けられている。
【０１７０】
第１の実施の形態と同様に、ユーザがＩＣリーダ７の検索ボタン１５３を長押ししながら、前面に設けられた第２のアンテナ部１３を、それぞれの光ディスクケース２のアンテナコイル２２に対して（図２９の例では左から右に）順次かざしていくことによって、それぞれの光ディスク３に搭載された非接触型ＩＣチップ３２に記録された情報を読み取ることができる。このとき、本実施の形態のＩＣリーダ７が備える移動速度検出部７８によって、ＩＣリーダ７の移動速度が検出される。そして、検出された移動速度が所定の速度（例えば、２０ｍｍ／ｓ）より速い場合には、ＩＣリーダ７の通知部１６から、移動速度が異常である旨を通知する速度異常メッセージが出力される。一方、検出された移動速度が所定の速度以下の場合には、ＩＣリーダ７の通知部１６から、移動速度が適正である旨を通知する速度適正メッセージが出力される。また、検索通信処理（図２７）における非接触型ＩＣチップ３２の検出が正常に行われていれば、ＩＣリーダ７の通知部１６から、光ディスク３の非接触型ＩＣチップ３２を検出し、通信に成功した旨を通知する検出メッセージが出力される。
【０１７１】
速度異常メッセージ、速度適正メッセージ、および検出メッセージは、具体的には、ＩＣリーダ７の投光部１６３から照射される照射光１６３ａや、音声出力部１６４から出力される音声メッセージ１６４ｅ、表示ディスプレイ１６１に表示される文字メッセージなどによって示される。
【０１７２】
そして、図２９の検索通信処理の実行時において、非接触型ＩＣチップ３２の検出および通信に成功したＩＣリーダ７は、その非接触型ＩＣチップ３２に記憶されている情報について検索を行う。
【０１７３】
ここで、ＩＣリーダ７の移動速度が速過ぎるか否かの基準となる所定の速度は、ＩＣリーダ７と非接触型ＩＣチップ３２との間の通信における１回の通信シーケンスの時間やポーリング時間と、アンテナで通信可能な距離で決定される。
【０１７４】
例えば、第２のアンテナ部１３の第２のアンテナコイル１３１を、短軸方向と長軸方向とで外径が異なるように構成した場合において、ＩＣリーダ７を短軸方向に移動させながら非接触型ＩＣチップ３２を検出すれば、短軸方向での通信可能距離が短くなる。従って、ポーリング時間が一定の場合は、第２のアンテナ部１３のアンテナコイルの外径の狭さに応じて、その方向での移動速度を制限する必要がある。具体的には、第２のアンテナ部１３の第２のアンテナコイル１３１の短軸方向で通信可能となる変位距離を±２ｍｍ（すなわちアンテナコイル１３１の中心を基準とした通信可能範囲で４ｍｍ）とし、ＩＣリーダ７と非接触型ＩＣチップ３２との間の通信におけるポーリング時間間隔を０．２秒とすると、通信可能範囲である４ｍｍを移動する間に少なくともポーリングが１回行われなければならないため、４／０．２＝［２０ｍｍ／ｓ］未満の速度で移動させなければ、通信に失敗する可能性がある。
【０１７５】
なお、移動速度が速過ぎる場合は、並べられている光ディスクケース２を読み飛ばしている可能性もあることから、「移動が速すぎます！」との音声メッセージの出力の他にも、「２，３枚分戻って、読み取り直してください」との音声メッセージを出力してもよい。またさらに、何枚分戻って読み取り直すかどうかは、所定の速度の超えた状態での移動距離（移動速度の積分値）から、その移動距離が何枚分に相当するかを計算した上で、その枚数を音声メッセージとして出力してもよい。もちろん、その移動距離を「何ｍｍ戻ってください」と距離値で音声メッセージとして出力してもよい。
【０１７６】
以上説明した第２の実施の形態のＩＣリーダ７によれば、速度異常メッセージとして、照射光１６３ａの特定の発光パターン（例えば、ＩＣリーダ７の移動速度が速過ぎる場合に点滅して照射光１６３ａを出力）や、合成音声による音声メッセージ（例えば、ＩＣリーダ７の移動速度が速過ぎる場合に、「移動が速過ぎます！」という音声メッセージ１６４ｅ）などを出力することによって、ユーザにＩＣリーダ７の移動速度が異常であることを通知することができる。
【０１７７】
また、ＩＣリーダ７の移動速度が所定の速度以下である場合など、移動速度が適正である場合には、速度異常メッセージとは異なる照射光１６３ａの特定の発光パターンや、合成音声による速度が適正である旨を示す音声メッセージなどによる、速度適正メッセージを出力することによって、ユーザにＩＣリーダ７の移動速度が適正であることを通知することができる。
【０１７８】
以上の結果、ユーザがＩＣリーダ７を移動させながら多数の光ディスクケース２に収容されている光ディスク３の非接触型ＩＣチップ３２に記録されている情報を検索する場合に、ユーザに対してＩＣリーダ７の移動速度が適正であるか否かを通知することによって、検索時におけるユーザの適正な移動速度でＩＣリーダ７を容易に移動させることができるので、検出エラーや読み飛ばしなどによる非接触型ＩＣチップ３２の検出漏れを防止することができる。
【０１７９】
［第３の実施の形態］
次に、第３の実施の形態について説明する。ＩＣリーダによって検出した非接触型ＩＣチップ３２に記憶されている情報は、例えば、パーソナルコンピュータに移動して光ディスクの記録内容を管理したり、楽曲のタイトルやアーチスト名など、興味のあるコンテンツを特定する情報を知人に電子メールなどで送信したりするなどに活用し得るものである。そこで、取得した情報をそのまま他の用途に活用することができれば、大変便利である。このため、第３の実施の形態のＩＣリーダ１は、外部通信部１７によって、例えば携帯電話などの外部の情報端末機器に対して、ＩＣリーダ１が検出した非接触型ＩＣチップ３２に記憶されている情報が転送可能である点で第１の実施の形態と異なる。なお、ＩＣリーダ１や他の構成要素について、同一の構成要素については同一符号としており、説明を省略する。
【０１８０】
次に、第３の実施の形態のＩＣリーダの動作について説明する。
まず、第３の実施の形態におけるメイン処理について説明する。本実施の形態のメイン処理では、本処理の実行時において、ユーザによる操作部１５の操作により、情報転送メニューが選択された場合には、外部通信部１７を介して外部の情報端末装置に光ディスク３の非接触型ＩＣチップ３２から取得した情報を転送する情報転送処理が実行される点が、第１の実施の形態と異なる。
【０１８１】
図３０は、第３の実施の形態のＩＣリーダで実行されるメイン処理を説明するフローチャートである。
まず、ユーザによって操作部１５が操作されると、ＩＣリーダ１のリーダ制御部１０１は、ユーザによる操作部１５の操作を検出する（ステップＳ９１）。
【０１８２】
次に、リーダ制御部１０１は、ステップＳ９１でユーザによる表示ボタン１５２の操作を検出したか否かを判定し（ステップＳ９２）、表示ボタン１５２の操作を検出していない場合には、ステップＳ９４の処理に進む一方、表示ボタン１５２の操作を検出した場合には、表示通信処理を実行し（ステップＳ９３）、その後、ステップＳ１００の処理に進む。
【０１８３】
次に、リーダ制御部１０１は、ステップＳ９１でユーザによる検索ボタン１５３の長押し操作（例えば、検索ボタン１５３を１秒以上押し続ける操作）を検出したか否かを判定し（ステップＳ９４）、検索ボタン１５３の長押し操作を検出していない場合には、ステップＳ９６の処理に進む一方、検索ボタン１５３の長押し操作を検出した場合には、検索通信処理を実行し（ステップＳ９５）、その後、ステップＳ１００の処理に進む。
【０１８４】
次に、リーダ制御部１０１は、ステップＳ９１でユーザによる検索ボタン１５３の二度押し操作（例えば、検索ボタン１５３を１秒間に２回以上押す操作）を検出したか否かを判定し（ステップＳ９６）、検索ボタン１５３の二度押し操作を検出していない場合には、ステップＳ１００の処理に進む一方、検索ボタン１５３の二度押し操作を検出した場合には、検索条件取得処理を実行し（ステップＳ９７）、その後、ステップＳ１００の処理に進む。
【０１８５】
次に、リーダ制御部１０１は、ステップＳ９１でユーザによる操作部１５の入力ボタン１５１の操作による情報転送メニュー（図示省略）の選択を受け付けたか否かを判定し（ステップＳ９８）、入力ボタン１５１による情報転送メニューの選択を受け付けていない場合には、ステップＳ１００の処理に進む一方、入力ボタン１５１による情報転送メニューの選択を受け付けた場合には、情報転送処理を実行し（ステップＳ９９）、その後、ステップＳ１００の処理に進む。この情報転送処理は、光ディスク３の非接触型ＩＣチップ３２から取得した情報を、外部通信部１７を通じて外部の情報端末装置に送信する処理であり、詳しくは図３１において後述する。
【０１８６】
そして、リーダ制御部１０１は、ユーザによる操作が検出されている場合には、上記の処理を繰り返し（ステップＳ１００）、ユーザによる操作の検出が終了した場合には、処理を終了する。
【０１８７】
次に、第３の実施の形態のメイン処理のステップＳ９９で実行される情報転送処理について説明する。
図３１は、第３の実施の形態のＩＣリーダで実行される情報転送処理を説明するフローチャートである。
【０１８８】
第３の実施の形態のメイン処理においてユーザの入力ボタン１５１の操作による情報転送メニューの選択が受け付けられると、リーダ制御部１０１によって図３１に示す情報転送処理が実行される。
【０１８９】
まず、リーダ制御部１０１は、入力ボタン１５１に対するユーザの操作による転送する情報の指定を受け付ける（ステップＳ１０１）。ユーザは、図示しない情報転送メニューにおいて、以前非接触型ＩＣチップ３２から取得した、図１６〜図１９に示すディスク主情報やディスク補助情報を指定することができる。
【０１９０】
次に、リーダ制御部１０１は、入力ボタン１５１に対するユーザの操作による転送方法の指定を受け付ける（ステップＳ１０２）。ユーザは、図示しない情報転送メニューにおいて、ＱＲコードの表示ディスプレイ１６１への表示やＩｒＤＡによる赤外線通信など、予め定められた転送方法を指定することができる。
【０１９１】
次に、リーダ制御部１０１は、ステップＳ１０２でユーザの入力ボタン１５１の操作によって指定された転送方法がＱＲコードであるか否かを判定する（ステップＳ１０３）。
指定された転送方法がＱＲコードである場合には、ステップＳ１０１で指定された転送する情報からＱＲコードを生成し（ステップＳ１０４）、生成したＱＲコードを表示ディスプレイ１６１に表示し（ステップＳ１０５）、ユーザによって転送の完了が確認されたことを示す転送完了確認の入力を受け付け（ステップＳ１０６）、その後、メイン処理に復帰する。
【０１９２】
一方、指定された転送方法がＱＲコードでない場合には、リーダ制御部１０１は、ステップＳ１０２でユーザの入力ボタン１５１の操作によって指定された転送方法がＩｒＤＡであるか否かを判定する（ステップＳ１０７）。
【０１９３】
指定された転送方法がＩｒＤＡである場合には、送信先の情報端末装置の受信準備をユーザに促す受信準備メッセージを通知部１６に出力し（ステップＳ１０８）、情報の転送の開始の指示である転送開始指示のユーザによる入力を受け付け（ステップＳ１０９）、ステップＳ１０１で指定された転送する情報をＩｒＤＡによって送信し（ステップＳ１１０）、ユーザによって転送の完了が確認されたことを示す転送完了確認の入力を受け付け（ステップＳ１１１）、その後、メイン処理に復帰する。
【０１９４】
一方、指定された転送方法がＩｒＤＡでない場合には、情報の転送を中止することを示す転送中止メッセージを通知部１６に出力し（ステップＳ１１２）、その後、メイン処理に復帰する。
【０１９５】
受信準備メッセージ、および転送中止メッセージは、具体的には、ＩＣリーダ７の投光部１６３から照射される照射光１６３ａや、音声出力部１６４から出力される音声メッセージ、表示ディスプレイ１６１に表示される文字メッセージ、などによって示される。
【０１９６】
以上説明した第３の実施の形態のＩＣリーダ１によれば、ＱＲコードやＩｒＤＡ通信によって、光ディスク３の非接触型ＩＣチップ３２から取得した情報を他の情報端末装置に送信することができる。この結果、光ディスク３の記録内容などの、検索によって取得した非接触型ＩＣチップ３２に記録されている情報を、そのまま活用することが可能になり、ユーザの利便性が向上するとともに、ＩＣリーダと他の情報端末装置との相互利用による、音楽データや動画データなどの利用の促進が図れる。
【図面の簡単な説明】
【０１９７】
【図１】ＩＣリーダの構成例を示す斜視図である。
【図２】ＩＣリーダと光ディスクに搭載された非接触型ＩＣチップとの通信に必要な回路の構成を概略的に示す図である。
【図３】第１の実施の形態のＩＣリーダの回路の構成を示す図である。
【図４】ＩＣリーダが光ディスクケースに収容された光ディスクの非接触型ＩＣチップと通信する際の様子を示す図である。
【図５】非接触型ＩＣチップが搭載された光ディスクの構成例を示す平面図である。
【図６】ブースタアンテナを搭載した光ディスクケースの構成例の分解斜視図である。
【図７】光ディスクケースを構成するディスクトレイおよびブースタアンテナユニットの分解斜視図である。
【図８】非接触型ＩＣチップ側およびＩＣリーダ側のアンテナ配置について説明するための図である。
【図９】光ディスクケースの別の構成例を示す正面図である。
【図１０】第１の実施の形態のＩＣリーダで実行されるメイン処理を説明するフローチャートである。
【図１１】ＩＣリーダで実行される表示通信処理を説明するフローチャートである。
【図１２】第１の実施の形態のＩＣリーダで実行される検索通信処理を説明するフローチャートである。
【図１３】ＩＣリーダで実行される検索条件取得処理を説明するフローチャートである。
【図１４】ＩＣリーダで光ディスクケースに収容された非接触型ＩＣチップが搭載された光ディスクを検出する際の様子を示す図である。
【図１５】光ディスクケースに収容された光ディスクの非接触型ＩＣチップに記録された情報の検索に成功した際の様子を示す図である。
【図１６】非接触型ＩＣチップに記録されているディスク主情報およびディスク補助情報を示す図（その１）である。
【図１７】非接触型ＩＣチップに記録されているディスク主情報およびディスク補助情報を示す図（その２）である。
【図１８】非接触型ＩＣチップに記録されているディスク主情報およびディスク補助情報を示す図（その３）である。
【図１９】非接触型ＩＣチップに記録されているディスク主情報およびディスク補助情報を示す図（その４）である。
【図２０】表示ディスプレイに表示される検索表示画面を示す図（その１）である。
【図２１】表示ディスプレイに表示される検索表示画面を示す図（その２）である。
【図２２】表示ディスプレイに表示される検索表示画面を示す図（その３）である。
【図２３】表示ディスプレイに表示される検索表示画面を示す図（その４）である。
【図２４】表示ディスプレイに表示される検索表示画面を示す図（その５）である。
【図２５】表示ディスプレイに表示される検索表示画面を示す図（その６）である。
【図２６】第２の実施の形態のＩＣリーダの回路の構成を示す図である。
【図２７】第２の実施の形態のＩＣリーダで実行される検索通信処理を説明するフローチャートである。
【図２８】第２の実施の形態のＩＣリーダで実行される移動速度検出処理を説明するフローチャートである。
【図２９】第２の実施の形態のＩＣリーダによる移動速度の検出の際の様子を示す図である。
【図３０】第３の実施の形態のＩＣリーダで実行されるメイン処理を説明するフローチャートである。
【図３１】第３の実施の形態のＩＣリーダで実行される情報転送処理を説明するフローチャートである。
【符号の説明】
【０１９８】
１，７……ＩＣリーダ、２，５０……光ディスクケース、３……光ディスク、１０……主回路、１１……第１のアンテナ部、１３……第２のアンテナ部、１５……操作部、１６……通知部、１７……外部通信部、２０……ブースタアンテナ、２０ａ……ブースタアンテナユニット、２１，２２，３１……アンテナコイル、２３，３３，１１２，１３２……同調回路、２６，３６，５６……中心孔、２９ａ〜２９ｄ……受光部分、３０……信号記録領域、３２……非接触型ＩＣチップ、３４……チャッキング領域、５１ａ……表面カバー部、５１ｂ……裏面カバー部、５１ｃ……ケース側面部、５２ａ，５２ｂ……折り曲げ部、５３ａ，２３５……ディスク載置面、５３ｂ，２３６……ディスク保持部、５４ａ……冊子収容面、５４ｂ……係止部、７８……移動速度検出部、１０１……リーダ制御部、１１１……第１のアンテナコイル、１３１……第２のアンテナコイル、１５１……入力ボタン、１５２……表示ボタン、１５３……検索ボタン、１６１……表示ディスプレイ、１６２……アンテナ発光部、１６３……投光部、１６３ａ，１６３ｂ……照射光、１６４……音声出力部、２３１……ベース部、２３２……カバー部、２３３……ディスクトレイ、２３４……連結部、２３７……凸部、２３８……側面、４１１，４１２，４１３，４１４……ディスク主情報、４２１，４２２，４２３，４２４……ディスク補助情報、４３１〜４３６……検索表示画面
【図１】
2009080761.tif 000003
【図２】
2009080761.tif 000004
【図３】
2009080761.tif 000005
【図４】
2009080761.tif 000006
【図５】
2009080761.tif 000007
【図６】
2009080761.tif 000008
【図７】
2009080761.tif 000009
【図８】
2009080761.tif 000010
【図９】
2009080761.tif 000011
【図１０】
2009080761.tif 000012
【図１１】
2009080761.tif 000013
【図１２】
2009080761.tif 000014
【図１３】
2009080761.tif 000015
【図１４】
2009080761.tif 000016
【図１５】
2009080761.tif 000017
【図１６】
2009080761.tif 000018
【図１７】
2009080761.tif 000019
【図１８】
2009080761.tif 000020
【図１９】
2009080761.tif 000021
【図２０】
2009080761.tif 000022
【図２１】
2009080761.tif 000023
【図２２】
2009080761.tif 000024
【図２３】
2009080761.tif 000025
【図２４】
2009080761.tif 000026
【図２５】
2009080761.tif 000027
【図２６】
2009080761.tif 000028
【図２７】
2009080761.tif 000029
【図２８】
2009080761.tif 000030
【図２９】
2009080761.tif 000031
【図３０】
2009080761.tif 000032
【図３１】
2009080761.tif 000033